(57)【要約】【課題】投射型表示装置を用いて２つの投射画像を重ねて表示するのに好適な画像表示システムを提供する。【解決手段】画像表示システム１を、表示データを加工処理可能で、且つ表示データに対応する画像を光投射可能な第１のプロジェクタ２と、表示データに対応する画像を光投射可能な第２のプロジェクタ３と、光投射された画像を表示するためのスクリーン４とを含んだ構成とし、更に、第１のプロジェクタ２と、第２のプロジェクタ３とを、通信ケーブル１００によって互いに通信可能に接続し、第１のプロジェクタ２は、加工処理後の表示データを通信ケーブル１００を介して第２のプロジェクタ３に送信し、第１のプロジェクタ２及び第３のプロジェクタ３によって光投射した加工処理後の表示データの画像をスクリーン４上に重ねて表示する。【選択図】      図１
2006071681.tif 000002
【特許請求の範囲】
【請求項１】
光投射される２つの画像を被表示部上に重ねて表示するシステムであって、
画像を構成する表示データに基いた当該画像の被表示部上への光投射表示処理を独立に制御可能な第１光投射型表示装置と、
画像を構成する表示データに基いた当該画像の被表示部上への光投射表示処理を独立に制御可能な第２光投射型表示装置と、
前記第１光投射型表示装置及び前記第２光投射型表示装置からそれぞれ投射する表示データに基づき、これら各表示データを加工可能な表示データ加工手段と、を備え、
前記第１光投射型表示装置から投射した画像と、前記第２光投射型表示装置から投射した画像とを前記被表示部上に重ねて表示することを特徴とする画像表示システム。
【請求項２】
光投射される２つの画像を被表示部上に重ねて表示するシステムであって、
第１の画像を構成する第１表示データ及び第２の画像を構成する第２表示データを取得する表示データ取得手段と、
前記表示データ取得手段によって取得した前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た第１表示データに基いた前記第１の画像の前記被表示部上への光投射表示処理を独立に制御可能な第１光投射型表示装置と、
前記加工処理を経た第２表示データに基いた前記第２の画像の前記被表示部上への光投射表示処理を独立に制御可能な第２光投射型表示装置と、を備え、
前記第１光投射型表示装置及び前記第２光投射型表示装置から投射された、前記第１の画像及び前記第２の画像を前記被表示部上に重ねて表示することを特徴とする画像表示システム。
【請求項３】
光投射される２つの画像を被表示部上に重ねて表示するシステムであって、
第１の画像を構成する第１表示データに基いた前記第１の画像の被表示部上への光投射表示処理を独立に制御可能な第１光投射型表示装置と、
第２の画像を構成する第２表示データに基いた前記第２の画像の前記被表示部上への光投射表示処理を独立に制御可能な第２光投射型表示装置とを備え、
前記第１光投射型表示装置は、
前記第１表示データ及び前記第２表示データを取得する表示データ取得手段と、
前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た第２表示データを、前記第２光投射型表示装置に送信する表示データ送信手段と、を備え、
前記第２光投射型表示装置は、
前記第１光投射型表示装置から送信された第２表示データを受信する表示データ受信手段を備え、
前記第１光投射型表示装置及び前記第２光投射型表示装置から投射された、前記加工処理を経た前記第１表示データ及び前記第２表示データにそれぞれ対応する前記第１の画像及び前記第２の画像を前記被表示部上に重ねて表示することを特徴とする画像表示システム。
【請求項４】
光投射される２つの画像を被表示部上に重ねて表示するシステムであって、
第１の画像を構成する第１表示データに基いた前記第１の画像の被表示部上への光投射表示処理を独立に制御可能な第１光投射型表示装置と、
第２の画像を構成する第２表示データに基いた前記第２の画像の前記被表示部上への光投射表示処理を独立に制御可能な第２光投射型表示装置と、
表示データ処理装置とを備え、
前記表示データ処理装置は、
前記第１表示データ及び前記第２表示データを取得する表示データ取得手段と、
前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た前記第１表示データ及び前記第２表示データを、それぞれ前記第１光投射型表示装置及び前記２光投射型表示装置に送信する表示データ送信手段と、を備え、
前記第１光投射型表示装置は、前記表示データ処理装置から送信された第１表示データを受信する第１表示データ受信手段を備え、
前記第２光投射型表示装置は、前記表示データ処理装置から送信された第２表示データを受信する第２表示データ受信手段を備え、
前記第１光投射型表示装置及び前記第２光投射型表示装置から投射された、前記加工処理を経た前記第１表示データ及び前記第２表示データにそれぞれ対応する前記第１の画像及び前記第２の画像を前記被表示部上に重ねて表示することを特徴とする画像表示システム。
【請求項５】
前記第１の画像及び前記第２の画像のいずれか一方を前景画像と設定し、他方を背景画像と設定することが可能な画像設定手段を備え、
前記表示データ解析手段は、前記表示データ中から主要画像部分のデータを抽出することが可能であり、且つ前記背景画像の表示データに基づき当該背景画像の明るさの度合いを算出し、当該算出した度合いと所定の閾値とを比較し、
前記表示データ加工手段は、前記比較結果から前記所定の閾値より前記背景画像の明るさの度合いの方が小さいときに、前記前景画像の主要画像部分の明るさの度合いが前記所定の閾値よりも大きくなるように前記前景画像に対応する表示データを加工することを特徴とする請求項２乃至請求項４のいずれか１項に記載の画像表示システム。
【請求項６】
前記表示データ加工手段は、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することを特徴とする請求項５記載の画像表示システム。
【請求項７】
前記表示データ加工手段は、前記背景画像の明るさの度合いの方が前記所定の閾値より大きいときに、前記背景画像の明るさの度合いが前記所定の閾値よりも小さくなるように、前記背景画像に対応する表示データを加工することを特徴とする請求項５又は請求項６記載の画像表示システム。
【請求項８】
前記被表示部上における、前記第１の画像と前記第２の画像との重なり状態を判定する重なり状態判定手段を備え、
前記表示データ加工手段は、前記重なり状態判定手段の判定結果に基づき前記表示データの加工処理を行うことを特徴とする請求項２乃至請求項６のいずれか１項に記載の画像表示システム。
【請求項９】
前記表示データ加工手段は、前記重なり状態判定手段の判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することを特徴とする請求項８記載の画像表示システム。
【請求項１０】
前記第１光投射型表示装置から投射される第１の画像と、前記第２光投射型表示装置から投射される第２の画像との前記被表示部上における表示位置を一致させる表示位置一致手段を備えることを特徴とする請求項１乃至請求項９のいずれか１項に記載の画像表示システム。
【請求項１１】
光投射される複数の画像を被表示部上に重ねて表示するシステムであって、
画像を構成する表示データに基づいた前記画像の前記被表示部上への光投射表示処理を独立に制御可能な複数の光投射型表示装置と、
前記複数の光投射型表示装置にそれぞれ対応した表示データに基づき、各表示データの加工処理を行う表示データ加工手段と、を備え、
前記複数の光投射型表示装置によって投射された、前記加工処理を経た複数の表示データに対応する複数の画像を前記被表示部上に重ねて表示することを特徴とする画像表示システム。
【請求項１２】
第１の画像を構成する第１表示データに基いた前記第１の画像の前記被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置とを備え、前記第１光投射型表示装置及び前記第２光投射型表示装置から投射された、前記第１光投射型表示装置において加工処理を経た前記第１表示データ及び前記第２表示データにそれぞれ対応する前記第１の画像及び前記第２の画像を前記被表示部上に重ねて表示するシステムに適用可能な、前記光投射型表示装置であって、
前記第１表示データ及び前記第２表示データを取得する表示データ取得手段と、
前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た第２表示データを、前記第２光投射型表示装置に送信する表示データ送信手段と、を備えることを特徴とする光投射型表示装置。
【請求項１３】
第１の画像を構成する第１表示データに基いた前記第１の画像の被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置と、表示データ処理装置とを備え、前記第１光投射型表示装置及び前記第２光投射型表示装置から投射された、前記表示データ処理装置において加工処理を経た前記第１表示データ及び前記第２表示データにそれぞれ対応する前記第１の画像及び前記第２の画像を前記被表示部上に重ねて表示するシステムに適用可能な、前記表示データ処理装置であって、
前記第１表示データ及び前記第２表示データを取得する表示データ取得手段と、
前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た前記第１表示データ及び前記第２表示データを、それぞれ前記第１光投射型表示装置及び前記２光投射型表示装置に送信する表示データ送信手段と、を備えることを特徴とする表示データ処理装置。
【請求項１４】
第１の画像を構成する第１表示データに基いた前記第１の画像の前記被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置とを備え、前記第１光投射型表示装置及び前記第２光投射型表示装置から投射された、前記第１光投射型表示装置において加工処理を経た前記第１表示データ及び前記第２表示データにそれぞれ対応する前記第１の画像及び前記第２の画像を前記被表示部上に重ねて表示するシステムにおける、前記光投射型表示装置を制御するためのコンピュータが実行可能なプログラムであって、
前記第１表示データ及び前記第２表示データを取得する表示データ取得ステップと、
前記第１表示データ及び前記第２表示データを解析する表示データ解析ステップと、
前記表示データ解析ステップにおける解析結果に基づき、前記第１表示データ及び前記第２表示データの加工処理を行う表示データ加工ステップと、
前記加工処理を経た第２表示データを、前記第２光投射型表示装置に送信する表示データ送信ステップと、を備えることを特徴とする光投射型表示装置制御プログラム。
【請求項１５】
第１の画像を構成する第１表示データに基いた前記第１の画像の被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置と、表示データ処理装置とを備え、前記第１光投射型表示装置及び前記第２光投射型表示装置から投射された、前記表示データ処理装置において加工処理を経た前記第１表示データ及び前記第２表示データにそれぞれ対応する前記第１の画像及び前記第２の画像を前記被表示部上に重ねて表示するシステムにおける、前記表示データ処理装置を制御するためのコンピュータが実行可能なプログラムであって、
前記第１表示データ及び前記第２表示データを取得する表示データ取得ステップと、
前記第１表示データ及び前記第２表示データを解析するデータ解析ステップと、
前記データ解析ステップにおける解析結果に基づき、前記第１表示データ及び前記第２表示データの加工処理を行う表示データ加工ステップと、
前記加工処理を経た前記第１表示データ及び前記第２表示データを、それぞれ前記第１光投射型表示装置及び前記２光投射型表示装置に送信する表示データ送信ステップと、を備えることを特徴とする表示データ処理装置制御プログラム。
【請求項１６】
第１の画像を構成する第１表示データに基いた前記第１の画像の前記被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置とを備え、前記第１光投射型表示装置及び前記第２光投射型表示装置から投射された、前記第１光投射型表示装置において加工処理を経た前記第１表示データ及び前記第２表示データにそれぞれ対応する前記第１の画像及び前記第２の画像を前記被表示部上に重ねて表示するシステムにおける、前記光投射型表示装置を制御するための方法であって、
前記第１表示データ及び前記第２表示データを取得する表示データ取得ステップと、
前記第１表示データ及び前記第２表示データを解析する表示データ解析ステップと、
前記表示データ解析ステップにおける解析結果に基づき、前記第１表示データ及び前記第２表示データの加工処理を行う表示データ加工ステップと、
前記加工処理を経た第２表示データを、前記第２光投射型表示装置に送信する表示データ送信ステップと、を含むことを特徴とする光投射型表示装置制御方法。
【請求項１７】
第１の画像を構成する第１表示データに基いた前記第１の画像の被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置と、表示データ処理装置とを備え、前記第１光投射型表示装置及び前記第２光投射型表示装置から投射された、前記表示データ処理装置において加工処理を経た前記第１表示データ及び前記第２表示データにそれぞれ対応する前記第１の画像及び前記第２の画像を前記被表示部上に重ねて表示するシステムにおける、前記表示データ処理装置を制御するための方法であって、
前記第１表示データ及び前記第２表示データを取得する表示データ取得ステップと、
前記第１表示データ及び前記第２表示データを解析するデータ解析ステップと、
前記データ解析ステップにおける解析結果に基づき、前記第１表示データ及び前記第２表示データの加工処理を行う表示データ加工ステップと、
前記加工処理を経た前記第１表示データ及び前記第２表示データを、それぞれ前記第１光投射型表示装置及び前記２光投射型表示装置に送信する表示データ送信ステップと、を含むことを特徴とする表示データ処理装置制御方法。
【発明の詳細な説明】
【技術分野】
【０００１】
本発明は、投射型表示装置を用いて２つの投射画像を重ねて表示するのに好適なデータ表示システムに関する。
【背景技術】
【０００２】
従来、データプロジェクタ等の光投射型表示装置を用いて、新製品の画像や新規プロジェクトのスケジュール表などをスクリーン上に光投射表示して、その表示された画像を聴衆に見せながらプレゼンテーションを行う発表形態がある。このような発表形態において、例えば、複数の会社の人間が集まって製品発表を行うような場合は、各社の発表者毎に様々なツールによって作成された表示データを持ちよることになる。そして、各発表者が発表順に従い、光投射型表示装置に接続されたＰＣ等を操作して各自の持ちよった表示データに応じたアプリケーションソフトを起動操作することにより、スクリーン上に表示データに応じた画像が光投射表示される。つまり、アプリケーションソフトが起動すると、表示データは、例えば、ＰＣの備えるビデオカード等によりビデオ信号化され、このビデオ信号化された表示データが光投射型表示装置に入力されることで、表示データに応じた画像が投射型表示装置の投射機能によってスクリーン上に光投射表示される。発表者は、このようにして光投射表示された表示データをマウスカーソルやレーザポインタ等で指しながらプレゼンテーションを進行する。
【０００３】
こういった発表の場においては、それぞれ異なる２社の表示データを、並べて表示させたい、あるいは重ねて表示させたいといったような要望が発生し得る。例えば、Ａ社の商品の画像（ティーカップ）と、Ｂ社の商品の画像（ティーソーサー）とをスクリーン上に重ねて表示させたいような場合である。このような場合に、２つの表示データを１台の投射型表示装置で重ねて表示する場合は、表示前に２つの画像の合成処理を行う等の工夫が必要である。例えば、１台のプロジェクタで２種類の画像を重ねて表示する技術に、特許文献１に記載のプロジェクタがある。これは、入力画像データに同期してフレーム画像データを取得し、これら取得した画像データを合成して表示するもので、プロジェクタ内部に画像データ合成手段を設けることで、画像データを別の装置（ＰＣ等）に取り込んで加工する手間をかけずに簡易に合成画像を見ることができるようにしたものである。
【０００４】
しかしながら、上記特許文献１のプロジェクタにおいては、データ形式の異なる２つの表示データを合成表示するようなときに、データ形式の変換等を行う必要があるが、このような処理については明細書中に記載されていない。
そこで、本発明者らは、上記２つの表示データを重ねて表示したいという要望に対し、プロジェクタ２台を用いてそれぞれの投射画像をスクリーン上に重ねて表示することを発案した。このような構成であれば、投射後の画像を単に重ねるだけとなるので表示データの形式等に左右されず、簡易に２つの表示データを重ねて表示することが可能である。
【特許文献１】特開２００３−１４０５９４
【発明の開示】
【発明が解決しようとする課題】
【０００５】
しかしながら、上記２台のプロジェクタを用いてスクリーン上に投射画像を重ねて表示させると、同じ位置に光と光とを重ねて投射することになるので、例えば、一方の画像の輝度（又は明度）が他方の画像の輝度（又は明度）より高いような場合に、他方の画像がその影響を受けて霞んで表示される等の表示内容が不明瞭になる問題が発生する。
また、このような問題は表示する２つの画像の輝度（明度）バランスによって生じることで、入力画像とフレーム画像との輝度バランスによっては、画像を合成する上記特許文献１のプロジェクタでも起こりうる問題である。
【０００６】
そこで、本発明は、このような従来の技術の有する未解決の課題に着目してなされたものであって、投射型表示装置を用いて２つの投射画像を重ねて表示するのに好適な画像表示システム、光投射型表示装置、表示データ処理装置、光投射型表示装置制御プログラム、表示データ処理装置制御プログラム、光投射型表示装置制御方法及び表示データ処理装置制御方法を提供することを目的としている。
【課題を解決するための手段】
【０００７】
〔発明１〕  上記目的を達成するために、発明１の画像表示システムは、光投射される２つの画像を被表示部上に重ねて表示するシステムであって、
画像を構成する表示データに基いた当該画像の被表示部上への光投射表示処理を独立に制御可能な第１光投射型表示装置と、
画像を構成する表示データに基いた当該画像の被表示部上への光投射表示処理を独立に制御可能な第２光投射型表示装置と、
前記第１光投射型表示装置及び前記第２光投射型表示装置からそれぞれ投射する表示データに基づき、これら各表示データを加工可能な表示データ加工手段と、を備え、
前記第１光投射型表示装置から投射した画像と、前記第２光投射型表示装置から投射した画像とを前記被表示部上に重ねて表示することを特徴としている。
【０００８】
このような構成であれば、表示データ加工手段によって前記第１光投射型表示装置及び前記第２光投射型表示装置からそれぞれ投射する表示データに基づき、これら各表示データを加工可能であるので、２つの画像を被表示部上に重ねて光投射表示する際に発生する画質等に係る問題を除去又は緩和することができるという効果が得られる。
更に、第１光投射型表示装置から投射した画像と、第２光投射型表示装置から投射した画像とを前記被表示部上に重ねるだけなので、２つの画像を被表示部上に簡易に重ねて表示することができるという効果が得られる。
【０００９】
ここで、光投射型表示装置は、プロジェクタ等の光を拡大投射して、離れた位置にあるスクリーン等の被表示部上に画像を形成するものである。プロジェクタには、主に、陰極線管（CRT）、液晶素子、ＤＭＤ（Digital Micromirror Device）を利用した３種類の方式がある。以下、発明２、３及び４の画像表示システム、発明１２の光投射型表示装置、発明１９の表示データ処理装置、発明２５の光投射型表示装置制御プログラム、発明３２の表示データ処理装置制御プログラム、発明３８の光投射型表示装置制御方法、並びに、発明４５の表示データ処理装置制御方法において同じである。
【００１０】
また、表示データは、プロジェクタが投射表示可能な画像データであり、画素の輝度（あるいは明度）レベルを示す画素値を画像の全画素について格納している。画像がカラーデータであれば、例えば、ＲＧＢ（red，green，blue）の光の３原色の各色毎の輝度値を画像の全画素について格納している。以下、発明２、３及び４の画像表示システム、発明１２の光投射型表示装置、発明１９の表示データ処理装置、発明２５の光投射型表示装置制御プログラム、発明３２の表示データ処理装置制御プログラム、発明３８の光投射型表示装置制御方法、並びに、発明４５の表示データ処理装置制御方法において同じである。
【００１１】
また、加工処理とは、画像の画素値を変更する処理等を示し、例えば、各色毎の画素の輝度（あるいは明度）レベルを変更して望みの表示結果を得る。以下、発明２、３及び４の画像表示システム、発明１２の光投射型表示装置、発明１９の表示データ処理装置、発明２５の光投射型表示装置制御プログラム、発明３２の表示データ処理装置制御プログラム、発明３８の光投射型表示装置制御方法、並びに、発明４５の表示データ処理装置制御方法において同じである。
【００１２】
〔発明２〕  一方、上記目的を達成するために、発明２の画像表示システムは、光投射される２つの画像を被表示部上に重ねて表示するシステムであって、
第１の画像を構成する第１表示データ及び第２の画像を構成する第２表示データを取得する表示データ取得手段と、
前記表示データ取得手段によって取得した前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た第１表示データに基いた前記第１の画像の前記被表示部上への光投射表示処理を独立に制御可能な第１光投射型表示装置と、
前記加工処理を経た第２表示データに基いた前記第２の画像の前記被表示部上への光投射表示処理を独立に制御可能な第２光投射型表示装置と、を備え、
前記第１光投射型表示装置及び前記第２光投射型表示装置から投射された、前記第１の画像及び前記第２の画像を前記被表示部上に重ねて表示することを特徴としている。
【００１３】
このような構成であれば、表示データ取得手段によって、第１の画像を構成する第１表示データ及び第２の画像を構成する第２表示データを取得することが可能であり、表示データ解析手段によって、前記表示データ取得手段によって取得した前記第１表示データ及び前記第２表示データを解析することが可能であり、表示データ加工手段によって、前記表示データ解析手段の解析結果に基づき、前記第１表示データ及び前記第２表示データの加工処理を行うことが可能である。
【００１４】
また、第１光投射型表示装置によって、前記加工処理を経た第１表示データに基いた前記第１の画像の前記被表示部上への光投射表示処理を独立に制御可能であり、第２光投射型表示装置によって、前記加工処理を経た第１表示データに基いた前記第２の画像の前記被表示部上への光投射表示処理を独立に制御可能である。
従って、前記第１光投射型表示装置及び前記第２光投射型表示装置からそれぞれ投射される２つの画像を被表示部上に重ねて光投射表示する際に発生する画質等に係る問題を、除去又は緩和することができるという効果が得られる。
【００１５】
更に、第１光投射型表示装置から投射した画像と、第２光投射型表示装置から投射した画像とを、被表示部上に簡易に且つ比較的良画質で重ねて表示することができるという効果が得られる。
【００１６】
〔発明３〕  一方、上記目的を達成するために、発明３の画像表示システムは、光投射される２つの画像を被表示部上に重ねて表示するシステムであって、
第１の画像を構成する第１表示データに基いた前記第１の画像の被表示部上への光投射表示処理を独立に制御可能な第１光投射型表示装置と、
第２の画像を構成する第２表示データに基いた前記第２の画像の前記被表示部上への光投射表示処理を独立に制御可能な第２光投射型表示装置とを備え、
前記第１光投射型表示装置は、
前記第１表示データ及び前記第２表示データを取得する表示データ取得手段と、
前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た第２表示データを、前記第２光投射型表示装置に送信する表示データ送信手段と、を備え、
前記第２光投射型表示装置は、
前記第１光投射型表示装置から送信された第２表示データを受信する表示データ受信手段を備え、
前記第１光投射型表示装置及び前記第２光投射型表示装置から投射された、前記加工処理を経た前記第１表示データ及び前記第２表示データにそれぞれ対応する前記第１の画像及び前記第２の画像を前記被表示部上に重ねて表示することを特徴としている。
【００１７】
このような構成であれば、前記第１光投射型表示装置は、表示データ取得手段によって、前記第１表示データ及び前記第２表示データを取得することが可能であり、表示データ解析手段によって、前記第１表示データ及び前記第２表示データを解析することが可能であり、表示データ加工手段によって、前記表示データ解析手段の解析結果に基づき、前記第１表示データ及び前記第２表示データの加工処理を行うことが可能であり、表示データ送信手段によって、前記加工処理を経た第２表示データを、前記第２光投射型表示装置に送信することが可能である。
【００１８】
また、前記第２光投射型表示装置は、表示データ受信手段によって、前記第１光投射型表示装置から送信された第２表示データを受信することが可能である。
従って、前記第１光投射型表示装置及び前記第２光投射型表示装置からそれぞれ投射される２つの画像を被表示部上に重ねて光投射表示する際に発生する画質等に係る問題を、除去又は緩和することができるという効果が得られる。更に、第１光投射型表示装置から投射した画像と、第２光投射型表示装置から投射した画像とを前記被表示部上に重ねるだけなので、２つの画像を被表示部上に簡易に重ねて表示することができるという効果が得られる。
【００１９】
更に、第１光投射型表示装置から投射した画像と、第２光投射型表示装置から投射した画像とを、被表示部上に簡易に且つ比較的良画質で重ねて表示することができるという効果が得られる。
【００２０】
〔発明４〕  一方、上記目的を達成するために、発明４の画像表示システムは、光投射される２つの画像を被表示部上に重ねて表示するシステムであって、
第１の画像を構成する第１表示データに基いた前記第１の画像の被表示部上への光投射表示処理を独立に制御可能な第１光投射型表示装置と、
第２の画像を構成する第２表示データに基いた前記第２の画像の前記被表示部上への光投射表示処理を独立に制御可能な第２光投射型表示装置と、
表示データ処理装置とを備え、
前記表示データ処理装置は、
前記第１表示データ及び前記第２表示データを取得する表示データ取得手段と、
前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た前記第１表示データ及び前記第２表示データを、それぞれ前記第１光投射型表示装置及び前記２光投射型表示装置に送信する表示データ送信手段と、を備え、
前記第１光投射型表示装置は、前記表示データ処理装置から送信された第１表示データを受信する第１表示データ受信手段を備え、
前記第２光投射型表示装置は、前記表示データ処理装置から送信された第２表示データを受信する第２表示データ受信手段を備え、
前記第１光投射型表示装置及び前記第２光投射型表示装置から投射された、前記加工処理を経た前記第１表示データ及び前記第２表示データにそれぞれ対応する前記第１の画像及び前記第２の画像を前記被表示部上に重ねて表示することを特徴としている。
【００２１】
このような構成であれば、前記表示データ処理装置は、表示データ取得手段によって、前記第１表示データ及び前記第２表示データを取得することが可能であり、表示データ解析手段によって、前記第１表示データ及び前記第２表示データを解析することが可能であり、表示データ加工手段によって、前記表示データ解析手段の解析結果に基づき、前記第１表示データ及び前記第２表示データの加工処理を行うことが可能であり、表示データ送信手段によって、前記加工処理を経た前記第１表示データ及び前記第２表示データを、それぞれ前記第１光投射型表示装置及び前記２光投射型表示装置に送信することが可能である。
【００２２】
また、第１光投射型表示装置は、第１表示データ受信手段によって、前記表示データ処理装置から送信された第１表示データを受信することが可能である。
また、第２光投射型表示装置は、第２表示データ受信手段によって、前記表示データ処理装置から送信された第２表示データを受信することが可能である。
【００２３】
〔発明５〕  更に、発明５の画像表示システムは、発明２乃至発明４のいずれか１の画像表示システムにおいて、前記第１の画像及び前記第２の画像のいずれか一方を前景画像と設定し、他方を背景画像と設定することが可能な画像設定手段を備え、
前記表示データ解析手段は、前記表示データ中から主要画像部分を抽出することが可能であり、且つ前記背景画像の表示データに基づき当該背景画像の明るさの度合いを算出し、当該算出した度合いと所定の閾値とを比較し、
前記表示データ加工手段は、前記比較結果から前記所定の閾値より前記背景画像の明るさの度合いの方が小さいときに、前記前景画像の主要画像部分の明るさの度合いが前記所定の閾値よりも大きくなるように当該前景画像に対応する表示データを加工することを特徴としている。
【００２４】
このような構成であれば、所定の閾値より前記背景画像の明るさの度合いの方が小さいときに、前記前景画像の主要画像部分の明るさの度合いが前記所定の閾値よりも大きくなるように当該前景画像に対応する表示データを加工することが可能であるので、前景画像の主要画像部分が背景画像の明るさによって不明瞭な表示となるのを防ぐことができるという効果が得られる。
【００２５】
ここで、明るさの度合いとしては、輝度又は明度等が考えられる。輝度は、白をMax、黒をMin、そして彩度の最も高い純色をその中間として、光の強さの度合いを抽出したものである。一方、明度(標準)は、白および彩度の最も高い純色をMax、黒をMinとした明るさを抽出したものである。輝度と極めて良く似た結果になるが、これはRGB各値の平均値を算出している。従って、明度(標準)では、「黄色／水色／紫色」と「青色／赤色／緑色」の値では前者の方が高い値になるが、輝度では同じ値になる。
【００２６】
〔発明６〕  更に、発明６の画像表示システムは、発明５の画像表示システムにおいて、前記表示データ加工手段は、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することを特徴としている。
【００２７】
このような構成であれば、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することが可能であるので、前景画像の主要画像部分が背景画像の明るさによって不明瞭な表示となるのを防ぐことができると共に、背景画像の主要画像部分と重なる部分以外の画像が前景画像の明るさにより不明瞭な表示となるのを防ぐことができるという効果が得られる。
【００２８】
〔発明７〕  更に、発明７の画像表示システムは、発明５又は発明６の画像表示システムにおいて、前記表示データ加工手段は、前記背景画像の明るさの度合いの方が前記所定の閾値より大きいときに、前記背景画像の明るさの度合いが前記所定の閾値よりも小さくなるように、前記背景画像に対応する表示データを加工することを特徴としている。
このような構成であれば、前記背景画像の明るさの度合いの方が前記所定の閾値より大きいときに、前記背景画像の明るさの度合いが前記所定の閾値よりも小さくなるように、前記背景画像に対応する表示データを加工することが可能であるので、前景画像の主要画像部分が背景画像の明るさによって不明瞭な表示となるのを防ぐことができるという効果が得られる。
【００２９】
〔発明８〕  更に、発明８の画像表示システムは、発明２乃至発明６のいずれか１の画像表示システムにおいて、前記被表示部上における、前記第１の画像と前記第２の画像の重なり状態を判定する重なり状態判定手段を備え、
前記表示データ加工手段は、前記重なり状態判定手段の判定結果にも基づき前記表示データの加工処理を行うことを特徴としている。
【００３０】
このような構成であれば、重なり状態判定手段によって、前記被表示部上における、前記第１の画像と前記第２の画像との重なり状態を判定することが可能であり、これにより、前景画像と背景画像との重なり位置等を判断して各表示データの加工処理を行うことができるという効果が得られる。
【００３１】
〔発明９〕  更に、発明９の画像表示システムは、発明８の画像表示システムにおいて、前記表示データ加工手段は、前記重なり状態判定手段の判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することを特徴としている。
【００３２】
このような構成であれば、前記重なり状態判定手段の判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することが可能であるので、背景画像によって前景画像の表示内容が不明瞭になるのを防ぐことができるという効果が得られる。
【００３３】
〔発明１０〕  更に、発明１０の画像表示システムは、発明１乃至発明９のいずれか１の画像表示システムにおいて、前記第１光投射型表示装置から投射される第１の画像と、前記第２光投射型表示装置から投射される第２の画像との前記被表示部上における表示位置を一致させる表示位置一致手段を備えることを特徴としている。
このような構成であれば、前記第１光投射型表示装置から投射される第１の画像と、前記第２光投射型表示装置から投射される第２の画像との前記被表示部上における表示位置を簡易に一致させることができるという効果が得られる。
【００３４】
〔発明１１〕  一方、上記目的を達成するために、発明１１の画像表示システムは、光投射される複数の画像を被表示部上に重ねて表示するシステムであって、
画像を構成する表示データに基づいた前記画像の前記被表示部上への光投射表示処理を独立に制御可能な複数の光投射型表示装置と、
前記複数の光投射型表示装置にそれぞれ対応した表示データに基づき、各表示データの加工処理を行う表示データ加工手段と、を備え、
前記複数の光投射型表示装置によって投射された、前記加工処理を経た複数の表示データに対応する複数の画像を前記被表示部上に重ねて表示することを特徴としている。
【００３５】
このような構成であれば、表示データ加工手段によって、複数の光投射型表示装置からそれぞれ投射する表示データに基づき、これら各表示データを加工可能であるので、複数の画像を被表示部上に重ねて光投射表示する際に発生する画質等に係る問題を除去又は緩和することができるという効果が得られる。
【００３６】
〔発明１２〕  一方、上記目的を達成するために、発明１２の光投射型表示装置は、第１の画像を構成する第１表示データに基いた前記第１の画像の前記被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置とを備え、前記第１光投射型表示装置及び前記第２光投射型表示装置から投射された、前記第１光投射型表示装置において加工処理を経た前記第１表示データ及び前記第２表示データにそれぞれ対応する前記第１の画像及び前記第２の画像を前記被表示部上に重ねて表示するシステムに適用可能な、前記光投射型表示装置であって、
前記第１表示データ及び前記第２表示データを取得する表示データ取得手段と、
前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た第２表示データを、前記第２光投射型表示装置に送信する表示データ送信手段と、を備えることを特徴としている。
ここで、本発明は、発明３の画像表示システムに適用可能な光投射型表示装置であり、発明３と同様の作用効果が得られる。
【００３７】
〔発明１３〕  更に、発明１３の光投射型表示装置は、発明１２の光投射型表示装置において、前記第１の画像及び前記第２の画像のいずれか一方を前景画像と設定し、他方を背景画像と設定することが可能な画像設定手段を備え、
前記表示データ解析手段は、前記表示データ中から主要画像部分を抽出することが可能であり、且つ前記背景画像の表示データに基づき当該背景画像の明るさの度合いを算出し、当該算出した度合いと所定の閾値とを比較し、
前記表示データ加工手段は、前記比較結果から前記所定の閾値より前記背景画像の明るさの度合いの方が小さいときに、前記前景画像の主要画像部分の明るさの度合いが前記所定の閾値よりも大きくなるように当該前景画像に対応する表示データを加工することを特徴としている。
ここで、本発明は、発明３に従属する発明５の画像表示システムに適用可能な光投射型表示装置であり、発明５と同様の作用効果が得られる。
【００３８】
〔発明１４〕  更に、発明１４の光投射型表示装置は、発明１３の光投射型表示装置において、前記表示データ加工手段は、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することを特徴としている。
ここで、本発明は、発明３に従属する発明６の画像表示システムに適用可能な光投射型表示装置であり、発明６と同様の作用効果が得られる。
【００３９】
〔発明１５〕  更に、発明１５の光投射型表示装置は、発明１３又は発明１４の光投射型表示装置において、前記表示データ加工手段は、前記背景画像の明るさの度合いの方が前記所定の閾値より大きいときに、前記背景画像の明るさの度合いが前記所定の閾値よりも小さくなるように、前記背景画像に対応する表示データを加工することを特徴としている。
ここで、本発明は、発明３に従属する発明７の画像表示システムに適用可能な光投射型表示装置であり、発明７と同様の作用効果が得られる。
【００４０】
〔発明１６〕  更に、発明１６の光投射型表示装置は、発明１２乃至発明１４のいずれか１の光投射型表示装置において、前記被表示部上における、前記第１の画像と前記第２の画像との重なり状態を判定する重なり状態判定手段を備え、
前記表示データ加工手段は、前記重なり状態判定手段の判定結果に基づき前記表示データの加工処理を行うことを特徴としている。
ここで、本発明は、発明３に従属する発明８の画像表示システムに適用可能な光投射型表示装置であり、発明８と同様の作用効果が得られる。
【００４１】
〔発明１７〕  更に、発明１７の光投射型表示装置は、発明１６の光投射型表示装置において、前記表示データ加工手段は、前記重なり状態判定手段の判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することを特徴としている。
ここで、本発明は、発明３に従属する発明９の画像表示システムに適用可能な光投射型表示装置であり、発明９と同様の作用効果が得られる。
【００４２】
〔発明１８〕  更に、発明１８の光投射型表示装置は、発明１２乃至発明１７のいずれか１の光投射型表示装置において、前記第１光投射型表示装置から投射される第１の画像と、前記第２光投射型表示装置から投射される第２の画像との前記被表示部上における表示位置を一致させる表示位置一致手段を備えることを特徴としている。
ここで、本発明は、発明３に従属する発明１０の画像表示システムに適用可能な光投射型表示装置であり、発明１０と同様の作用効果が得られる。
【００４３】
〔発明１９〕  一方、上記目的を達成するために、発明１９の表示データ処理装置は、第１の画像を構成する第１表示データに基いた前記第１の画像の被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置と、表示データ処理装置とを備え、前記第１光投射型表示装置及び前記第２光投射型表示装置から投射された、前記表示データ処理装置において加工処理を経た前記第１表示データ及び前記第２表示データにそれぞれ対応する前記第１の画像及び前記第２の画像を前記被表示部上に重ねて表示するシステムに適用可能な、前記表示データ処理装置であって、
前記第１表示データ及び前記第２表示データを取得する表示データ取得手段と、
前記第１表示データ及び前記第２表示データを解析する表示データ解析手段と、
前記表示データ解析手段の解析結果に基づき、前記第１表示データ及び前記第２表示データの加工処理を行う表示データ加工手段と、
前記加工処理を経た前記第１表示データ及び前記第２表示データを、それぞれ前記第１光投射型表示装置及び前記２光投射型表示装置に送信する表示データ送信手段と、を備えることを特徴としている。
ここで、本発明は、発明４の画像表示システムに適用可能な表示データ処理装置であり、同様の作用効果が得られる。
【００４４】
〔発明２０〕  更に、発明２０の表示データ処理装置は、発明１９の表示データ処理装置において、前記第１の画像及び前記第２の画像のいずれか一方を前景画像と設定し、他方を背景画像と設定することが可能な画像設定手段を備え、
前記表示データ解析手段は、前記表示データ中から主要画像部分を抽出することが可能であり、且つ前記背景画像の表示データに基づき当該背景画像の明るさの度合いを算出し、当該算出した度合いと所定の閾値とを比較し、
前記表示データ加工手段は、前記比較結果から前記所定の閾値より前記背景画像の明るさの度合いの方が小さいときに、前記前景画像の主要画像部分の明るさの度合いが前記所定の閾値よりも大きくなるように当該前景画像に対応する表示データを加工することを特徴としている。
ここで、本発明は、発明４に従属する発明５の画像表示システムに適用可能な表示データ処理装置であり、発明５と同様の作用効果が得られる。
【００４５】
〔発明２１〕  更に、発明２１の表示データ処理装置は、発明２０の表示データ処理装置において、前記表示データ加工手段は、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することを特徴としている。
ここで、本発明は、発明４に従属する発明６の画像表示システムに適用可能な表示データ処理装置であり、発明６と同様の作用効果が得られる。
【００４６】
〔発明２２〕  更に、発明２２の表示データ処理装置は、発明２０又は発明２１の表示データ処理装置において、前記表示データ加工手段は、前記背景画像の明るさの度合いの方が前記所定の閾値より大きいときに、前記背景画像の明るさの度合いが前記所定の閾値よりも小さくなるように、前記背景画像に対応する表示データを加工することを特徴としている。
ここで、本発明は、発明４に従属する発明７の画像表示システムに適用可能な表示データ処理装置であり、発明７と同様の作用効果が得られる。
【００４７】
〔発明２３〕  更に、発明２３の表示データ処理装置は、発明１９乃至発明２１のいずれか１の表示データ処理装置において、前記被表示部上における、前記第１の画像と前記第２の画像との重なり状態を判定する重なり状態判定手段を備え、
前記表示データ加工手段は、前記重なり状態判定手段の判定結果に基づき前記表示データの加工処理を行うことを特徴としている。
ここで、本発明は、発明４に従属する発明８の画像表示システムに適用可能な表示データ処理装置であり、発明８と同様の作用効果が得られる。
【００４８】
〔発明２４〕  更に、明２４の表示データ処理装置は、発明２３の表示データ処理装置において、前記表示データ加工手段は、前記重なり状態判定手段の判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することを特徴としている。
ここで、本発明は、発明４に従属する発明９の画像表示システムに適用可能な表示データ処理装置であり、発明９と同様の作用効果が得られる。
【００４９】
〔発明２５〕  一方、発明２５の光投射型表示装置制御プログラムは、第１の画像を構成する第１表示データに基いた前記第１の画像の前記被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置とを備え、前記第１光投射型表示装置及び前記第２光投射型表示装置から投射された、前記第１光投射型表示装置において加工処理を経た前記第１表示データ及び前記第２表示データにそれぞれ対応する前記第１の画像及び前記第２の画像を前記被表示部上に重ねて表示するシステムにおける、前記光投射型表示装置を制御するためのコンピュータが実行可能なプログラムであって、
前記第１表示データ及び前記第２表示データを取得する表示データ取得ステップと、
前記第１表示データ及び前記第２表示データを解析する表示データ解析ステップと、
前記表示データ解析ステップにおける解析結果に基づき、前記第１表示データ及び前記第２表示データの加工処理を行う表示データ加工ステップと、
前記加工処理を経た第２表示データを、前記第２光投射型表示装置に送信する表示データ送信ステップと、を備えることを特徴としている。
ここで、本発明は、発明３の画像表示システムに適用可能なプログラムであり、これにより発明３と同等の効果が得られる。
【００５０】
〔発明２６〕  更に、発明２６の光投射型表示装置制御プログラムは、発明２５の光投射型表示装置制御プログラムにおいて、前記第１の画像及び前記第２の画像のいずれか一方を前景画像と設定し、他方を背景画像と設定することが可能な画像設定ステップを更に備え、
前記表示データ解析ステップにおいては、前記表示データ中から主要画像部分を抽出することが可能であり、且つ前記背景画像の表示データに基づき当該背景画像の明るさの度合いを算出し、当該算出した度合いと所定の閾値とを比較し、
前記表示データ加工ステップにおいては、前記比較結果から前記所定の閾値より前記背景画像の明るさの度合いの方が小さいときに、前記前景画像の明るさの度合いが前記所定の閾値よりも大きくなるように当該前景画像に対応する表示データを加工することを特徴としている。
ここで、本発明は、発明３に従属する発明５の画像表示システムに適用可能なプログラムであり、これにより発明５と同等の効果が得られる。
【００５１】
〔発明２７〕  更に、発明２７の光投射型表示装置制御プログラムは、発明２６の光投射型表示装置制御プログラムにおいて、前記表示データ加工ステップにおいては、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することを特徴としている。
ここで、本発明は、発明３に従属する発明６の画像表示システムに適用可能なプログラムであり、これにより発明６と同等の効果が得られる。
【００５２】
〔発明２８〕  更に、発明２８の光投射型表示装置制御プログラムは、発明２６又は発明２７の光投射型表示装置制御プログラムにおいて、前記表示データ加工ステップにおいては、前記背景画像の明るさの度合いの方が前記所定の閾値より大きいときに、前記背景画像の明るさの度合いが前記所定の閾値よりも小さくなるように、前記背景画像に対応する表示データを加工することを特徴としている。
ここで、本発明は、発明３に従属する発明７の画像表示システムに適用可能なプログラムであり、これにより発明７と同等の効果が得られる。
【００５３】
〔発明２９〕  更に、発明２９の光投射型表示装置制御プログラムは、発明２５乃至発明２７のいずれか１の光投射型表示装置制御プログラムにおいて、前記被表示部上における、前記第１の画像と前記第２の画像との重なり状態を判定する重なり状態判定ステップを更に備え、
前記表示データ加工ステップにおいては、前記重なり状態判定ステップにおける判定結果に基づき前記表示データの加工処理を行うことを特徴としている。
ここで、本発明は、発明３に従属する発明８の画像表示システムに適用可能なプログラムであり、これにより発明８と同等の効果が得られる。
【００５４】
〔発明３０〕  更に、発明３０の光投射型表示装置制御プログラムは、発明２９の光投射型表示装置制御プログラムにおいて、前記表示データ加工ステップにおいては、前記重なり状態判定ステップにおける判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することを特徴としている。
ここで、本発明は、発明３に従属する発明９の画像表示システムに適用可能なプログラムであり、これにより発明９と同等の効果が得られる。
【００５５】
〔発明３１〕  更に、発明３１の光投射型表示装置制御プログラムは、発明２５乃至発明３０のいずれか１の光投射型表示装置制御プログラムにおいて、前記第１光投射型表示装置から投射される第１の画像と、前記第２光投射型表示装置から投射される第２の画像との前記被表示部上における表示位置を一致させる表示位置一致ステップを更に備えることを特徴としている。
ここで、本発明は、発明３に従属する発明１０の画像表示システムに適用可能なプログラムであり、これにより発明１０と同等の効果が得られる。
【００５６】
〔発明３２〕  一方、上記目的を達成するために、発明３２の表示データ処理装置制御プログラムは、第１の画像を構成する第１表示データに基いた前記第１の画像の被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置と、表示データ処理装置とを備え、前記第１光投射型表示装置及び前記第２光投射型表示装置から投射された、前記表示データ処理装置において加工処理を経た前記第１表示データ及び前記第２表示データにそれぞれ対応する前記第１の画像及び前記第２の画像を前記被表示部上に重ねて表示するシステムにおける、前記表示データ処理装置を制御するためのコンピュータが実行可能なプログラムであって、
前記第１表示データ及び前記第２表示データを取得する表示データ取得ステップと、
前記第１表示データ及び前記第２表示データを解析するデータ解析ステップと、
前記データ解析ステップにおける解析結果に基づき、前記第１表示データ及び前記第２表示データの加工処理を行う表示データ加工ステップと、
前記加工処理を経た前記第１表示データ及び前記第２表示データを、それぞれ前記第１光投射型表示装置及び前記２光投射型表示装置に送信する表示データ送信ステップと、を備えることを特徴としている。
ここで、本発明は、発明４の画像表示システムに適用可能なプログラムであり、これにより発明４と同等の効果が得られる。
【００５７】
〔発明３３〕  更に、発明３３の表示データ処理装置制御プログラムは、発明３２の表示データ処理装置制御プログラムにおいて、前記第１の画像及び前記第２の画像のいずれか一方を前景画像と設定し、他方を背景画像と設定することが可能な画像設定ステップを更に備え、
前記表示データ解析ステップにおいては、前記表示データ中から主要画像部分を抽出することが可能であり、且つ前記背景画像の表示データに基づき当該背景画像の明るさの度合いを算出し、当該算出した度合いと所定の閾値とを比較し、
前記表示データ加工ステップにおいては、前記比較結果から前記所定の閾値より前記背景画像の明るさの度合いの方が小さいときに、前記前景画像の明るさの度合いが前記所定の閾値よりも大きくなるように当該前景画像に対応する表示データを加工することを特徴としている。
ここで、本発明は、発明４に従属する発明５の画像表示システムに適用可能なプログラムであり、これにより発明５と同等の効果が得られる。
【００５８】
〔発明３４〕  更に、発明３４の表示データ処理装置制御プログラムは、発明３３の表示データ処理装置制御プログラムにおいて、前記表示データ加工ステップにおいては、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することを特徴としている。
【００５９】
ここで、本発明は、発明４に従属する発明６の画像表示システムに適用可能なプログラムであり、これにより発明６と同等の効果が得られる。
【００６０】
〔発明３５〕  更に、発明３５の表示データ処理装置制御プログラムは、発明３３又は発明３４の表示データ処理装置制御プログラムにおいて、前記表示データ加工ステップにおいては、前記背景画像の明るさの度合いの方が前記所定の閾値より大きいときに、前記背景画像の明るさの度合いが前記所定の閾値よりも小さくなるように、前記背景画像に対応する表示データを加工することを特徴としている。
ここで、本発明は、発明４に従属する発明７の画像表示システムに適用可能なプログラムであり、これにより発明７と同等の効果が得られる。
【００６１】
〔発明３６〕  更に、発明３６の表示データ処理装置制御プログラムは、発明３２乃至発明３４のいずれか１の表示データ処理装置制御プログラムにおいて、前記被表示部上における、前記第１の画像と前記第２の画像との重なり状態を判定する重なり状態判定ステップを更に備え、
前記表示データ加工ステップにおいては、前記重なり状態判定ステップにおける判定結果に基づき前記表示データの加工処理を行うことを特徴としている。
ここで、本発明は、発明４に従属する発明８の画像表示システムに適用可能なプログラムであり、これにより発明８と同等の効果が得られる。
【００６２】
〔発明３７〕  更に、発明３７の表示データ処理装置制御プログラムは、発明３６の表示データ処理装置制御プログラムにおいて、前記表示データ加工ステップにおいては、前記重なり状態判定ステップにおける判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することを特徴としている。
ここで、本発明は、発明４に従属する発明９の画像表示システムに適用可能なプログラムであり、これにより発明９と同等の効果が得られる。
【００６３】
〔発明３８〕  一方、発明３８の光投射型表示装置制御方法は、第１の画像を構成する第１表示データに基いた前記第１の画像の前記被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置とを備え、前記第１光投射型表示装置及び前記第２光投射型表示装置から投射された、前記第１光投射型表示装置において加工処理を経た前記第１表示データ及び前記第２表示データにそれぞれ対応する前記第１の画像及び前記第２の画像を前記被表示部上に重ねて表示するシステムにおける、前記光投射型表示装置を制御するための方法であって、
前記第１表示データ及び前記第２表示データを取得する表示データ取得ステップと、
前記第１表示データ及び前記第２表示データを解析する表示データ解析ステップと、
前記表示データ解析ステップにおける解析結果に基づき、前記第１表示データ及び前記第２表示データの加工処理を行う表示データ加工ステップと、
前記加工処理を経た第２表示データを、前記第２光投射型表示装置に送信する表示データ送信ステップと、を含むことを特徴としている。
これにより、発明３の画像表示システムと同等の効果が得られる。
【００６４】
〔発明３９〕  更に、発明３９の光投射型表示装置制御方法は、発明３８の光投射型表示装置制御方法において、前記第１の画像及び前記第２の画像のいずれか一方を前景画像と設定し、他方を背景画像と設定する画像設定ステップを含み、
前記表示データ解析ステップにおいては、前記表示データ中から主要画像部分を抽出し、且つ前記背景画像の表示データに基づき当該背景画像の明るさの度合いを算出し、当該算出した度合いと所定の閾値とを比較し、
前記表示データ加工ステップにおいては、前記比較結果から前記所定の閾値より前記背景画像の明るさの度合いの方が小さいときに、前記画像設定ステップにおいて設定された前景画像の明るさの度合いが前記所定の閾値よりも大きくなるように当該前景画像に対応する表示データを加工することを特徴としている。
これにより、発明３に従属する発明５の画像表示システムと同等の効果が得られる。
【００６５】
〔発明４０〕  更に、発明４０の光投射型表示装置制御方法は、発明３９の光投射型表示装置制御方法において、前記表示データ加工ステップにおいては、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することを特徴としている。
これにより、発明３に従属する発明６の画像表示システムと同等の効果が得られる。
【００６６】
〔発明４１〕  更に、発明４１の光投射型表示装置制御方法は、発明３９又は発明４０の光投射型表示装置制御方法において、前記表示データ加工ステップにおいては、前記背景画像の明るさの度合いの方が前記所定の閾値より大きいときに、前記背景画像の明るさの度合いが前記所定の閾値よりも小さくなるように、前記背景画像に対応する表示データを加工することを特徴としている。
これにより、発明３に従属する発明７の画像表示システムと同等の効果が得られる。
【００６７】
〔発明４２〕  更に、発明４１の光投射型表示装置制御方法は、発明３８乃至発明４０のいずれか１の光投射型表示装置制御方法において、前記被表示部上における、前記第１の画像と前記第２の画像との重なり状態を判定する重なり状態判定ステップを含み、
前記表示データ加工ステップにおいては、前記重なり状態判定ステップにおける判定結果に基づき前記表示データの加工処理を行うことを特徴としている。
これにより、発明３に従属する発明８の画像表示システムと同等の効果が得られる。
【００６８】
〔発明４３〕  更に、発明４３の光投射型表示装置制御方法は、発明４２の光投射型表示装置制御方法において、前記表示データ加工ステップにおいては、前記重なり状態判定ステップにおける判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することを特徴としている。
これにより、発明３に従属する発明９の画像表示システムと同等の効果が得られる。
【００６９】
〔発明４４〕  更に、発明４４の光投射型表示装置制御方法は、発明３８乃至発明４３のいずれか１の光投射型表示装置制御方法において、前記第１光投射型表示装置から投射される第１の画像と、前記第２光投射型表示装置から投射される第２の画像との前記被表示部上における表示位置を一致させる表示位置一致ステップを含むことを特徴としている。
これにより、発明３に従属する発明１０の画像表示システムと同等の効果が得られる。
【００７０】
〔発明４５〕  一方、上記目的を達成するために、発明４５の表示データ処理装置制御方法は、第１の画像を構成する第１表示データに基いた前記第１の画像の被表示部上への光投射表示処理を独立に制御可能な第１光投射型表示装置と、第２の画像を構成する第２表示データに基いた前記第２の画像の前記被表示部上への光投射表示処理を独立に制御可能な第２光投射型表示装置と、表示データ処理装置とを備え、前記第１光投射型表示装置及び前記第２光投射型表示装置から投射された、前記表示データ処理装置において加工処理を経た前記第１表示データ及び前記第２表示データにそれぞれ対応する前記第１の画像及び前記第２の画像を前記被表示部上に重ねて表示するシステムにおける、前記表示データ処理装置を制御するための方法であって、
前記第１表示データ及び前記第２表示データを取得する表示データ取得ステップと、
前記第１表示データ及び前記第２表示データを解析するデータ解析ステップと、
前記データ解析ステップにおける解析結果に基づき、前記第１表示データ及び前記第２表示データの加工処理を行う表示データ加工ステップと、
前記加工処理を経た前記第１表示データ及び前記第２表示データを、それぞれ前記第１光投射型表示装置及び前記２光投射型表示装置に送信する表示データ送信ステップと、を含むことを特徴としている。
これにより、発明４の画像表示システムと同等の効果が得られる。
【００７１】
〔発明４６〕  更に、発明４６の表示データ処理装置制御方法は、発明４５の表示データ処理装置制御方法において、前記第１の画像及び前記第２の画像のいずれか一方を前景画像と設定し、他方を背景画像と設定する画像設定ステップを含み、
前記表示データ解析ステップにおいては、前記表示データ中から主要画像部分を抽出し、且つ前記背景画像の表示データに基づき当該背景画像の明るさの度合いを算出し、当該算出した度合いと所定の閾値とを比較し、
前記表示データ加工ステップにおいては、前記比較結果から前記所定の閾値より前記背景画像の明るさの度合いの方が小さいときに、前記画像設定ステップにおいて設定された前景画像の明るさの度合いが前記所定の閾値よりも大きくなるように当該前景画像に対応する表示データを加工することを特徴としている。
これにより、発明４に従属する発明５の画像表示システムと同等の効果が得られる。
【００７２】
〔発明４７〕  更に、発明４７の光投射型表示装置制御方法は、発明４６の光投射型表示装置制御方法において、前記表示データ加工ステップにおいては、前記背景画像の明るさの度合いの方が前記所定の閾値より小さいときに、前記前景画像における前記主要画像部分の明るさの度合いが前記所定の閾値よりも大きくなるように、且つ前記前景画像における前記主要画像部分以外の背景部分の明るさの度合いが前記所定の閾値よりも小さくなるように、前記前景画像に対応する表示データを加工することを特徴としている。
これにより、発明４に従属する発明６の画像表示システムと同等の効果が得られる。
【００７３】
〔発明４８〕  更に、発明４８の光投射型表示装置制御方法は、発明４６又は発明４７の光投射型表示装置制御方法において、前記表示データ加工ステップにおいては、前記背景画像の明るさの度合いの方が前記所定の閾値より大きいときに、前記背景画像の明るさの度合いが前記所定の閾値よりも小さくなるように、前記背景画像に対応する表示データを加工することを特徴としている。
これにより、発明４に従属する発明７の画像表示システムと同等の効果が得られる。
【００７４】
〔発明４９〕  更に、発明４９の光投射型表示装置制御方法は、発明４５乃至発明４７のいずれか１の光投射型表示装置制御方法において、前記被表示部上における、前記第１の画像と前記第２の画像との重なり状態を判定する重なり状態判定ステップを含み、
前記表示データ加工ステップにおいては、前記重なり状態判定ステップにおける判定結果に基づき前記表示データの加工処理を行うことを特徴としている。
これにより、発明４に従属する発明８の画像表示システムと同等の効果が得られる。
【００７５】
〔発明５０〕  更に、発明５０の光投射型表示装置制御方法は、発明４９の光投射型表示装置制御方法において、前記表示データ加工ステップにおいては、前記重なり状態判定ステップにおける判定結果に基づき、前記背景画像における、前記前景画像の主要画像部分と当該背景画像とが重なる部分及びその近傍を含む所定範囲の画像領域を、当該画像領域の明るさの度合いが前記所定の閾値より小さくなるように前記背景画像に対応する表示データを加工することを特徴としている。
これにより、発明４に従属する発明９の画像表示システムと同等の効果が得られる。
【発明を実施するための最良の形態】
【００７６】
〔第１の実施形態〕
以下、本発明の第１の実施形態を図面に基づき説明する。図１〜図１０は、本発明に係る画像表示システムの第１の実施形態を示す図である。
まず、本発明の第１の実施形態に係る画像表示システムの構成を図１に基づき説明する。図１は、本発明の第１の実施形態に係る画像表示システム１の構成を示す概観図である。
【００７７】
画像表示システム１は、表示データに基づき当該表示データを加工処理可能で、且つ表示データに対応する画像を光投射可能な第１のプロジェクタ２と、表示データに基づき当該表示データに対応する画像を光投射可能な第２のプロジェクタ３と、光投射された画像を表示するためのスクリーン４とを含んだ構成となっている。更に、第１のプロジェクタ２と、第２のプロジェクタ３とは、通信ケーブル１００によって互いに通信可能に接続されており、第１のプロジェクタ２は、加工処理後の表示データを通信ケーブル１００を介して第２のプロジェクタ３に送信することが可能である。
【００７８】
更に、図２に基づき、第１のプロジェクタ２の詳細な構成を説明する。図２は、第１のプロジェクタ２の詳細構成を示すブロック図である。
図２に示すように、第１のプロジェクタ２は、カード型の記憶媒体を介して表示データを取得する第１表示データ取得部２ａと、カード型の記憶媒体を介して表示データを取得する第２表示データ取得部２ｂと、第１のプロジェクタ２の各構成要素を統括制御するデータ制御部２ｃと、第１表示データ取得部２ａ及び第２表示データ取得部２ｂを介して取得した表示データや各処理に必要なデータを記憶するデータ記憶部２ｄと、カード型の記憶媒体に記憶された表示データの中から任意の表示データを選択可能なデータ選択部２ｅと、データ選択部２ｅによって選択された表示データを解析するデータ解析部２ｆと、データ解析部２ｆの解析結果に基づき表示データに加工処理を施すデータ加工部２ｇと、加工処理を経た第２のプロジェクタ３用の表示データを、第２のプロジェクタ３に送信するなど当該第２のプロジェクタ３とデータ通信を行うためのデータ通信部２ｈと、加工処理を経た第１のプロジェクタ２用の表示データに対応した画像を光投射可能なデータ表示部２ｉと、スクリーン上に投射された画像の表示位置情報を取得する表示位置取得部２ｊと、表示位置取得部２ｊにおいて取得された表示位置情報に基づき算出された補正情報に基づき画像の投射位置を補正して第２のプロジェクタ３の画像表示位置に一致させる投射位置一致部２ｋと、を含んだ構成となっている。
【００７９】
第１表示データ取得部２ａ及び第２表示データ取得部２ｂは、カード型の記憶媒体と電気的接触を介して当該記憶媒体に記憶されたデータを取得可能な状態とする機能を有している。
データ制御部２ｃは、第１表示データ取得部２ａ及び第２表示データ取得部２ｂを介してカード型の記憶媒体からデータを取得し、当該取得したデータをデータ記憶部２ｄに記憶したり、データ記憶部２ｄに記憶されたデータを読み出して、当該読み出したデータを各構成要素に送信したり、各構成要素において処理されたデータを他の構成要素に中継したりするなど各構成要素間のデータの授受を統括制御する機能を有し、更に、表示位置取得部２ｊから取得したデータに基づいて、投射位置一致部２ｋが第１のプロジェクタ２の投射位置を修正するための制御量を算出する機能などを有している。
【００８０】
データ記憶部２ｄは、データ制御部２ｃの制御命令に応じて、第１表示データ取得部２ａ、第２表示データ取得部２ｂ、データ通信部２ｈ等を介して取得したデータをメモリに記憶したり、データ制御部２ｃの制御命令に応じて、メモリに記憶されたデータを出力する機能を有している。
データ選択部２ｅは、カード型の記憶媒体に記憶された表示データの中から、第１のプロジェクタ２及び第２のプロジェクタ３にそれぞれ投射させる表示データを任意に選択する機能を有している。また、本実施形態においては、第１表示データ取得部２ａ及び第２表示データ取得部２ｂのいずれか一方を前景画像とし、他方を背景画像とする設定を行うことが可能となっている。従って、例えば、第１表示データ取得部２ａを介して取得する表示データは前景画像、第２表示データ取得部２ｂを介して取得する表示データは背景画像と設定することにより、データ制御部２ｃは、この設定に合わせて表示データに前景画像、背景画像の属性を付加してデータ記憶部２ｄに記憶する。
【００８１】
データ解析部２ｆは、データ制御部２ｃを介して取得した表示データを解析する機能を有している。本実施形態においては、取得した表示データが、前景か背景かの設定情報、どのようなアプリケーションソフトに対応しているかを示す形式情報、表示データに含まれる主要部分（文字データ等）の情報、第１のプロジェクタ２及び第２のプロジェクタ３において投射する表示データを重ねた場合の重なり状態の情報等を解析により取得することが可能である。更に、本実施形態においては、上記主要部分の情報に基づき、表示データから主要部分を抽出する機能を有している。また、抽出処理を経た各表示データをプロジェクタにおいて投射処理可能な形式（画素値データ）に変換し、当該画素値データに基づき、背景画像の輝度を算出し、当該算出した輝度と予め用意された閾値とを比較する処理を行う。上記した各解析情報、抽出された主要部で構成される画素値データ及び輝度の比較結果は、解析結果情報としてデータ制御部２ｃに送信される。
【００８２】
データ加工部２ｇは、データ制御部２ｃを介して取得した、第１のプロジェクタ２及び第２のプロジェクタ３においてそれぞれ１つずつ投射する計２つの表示データと、データ解析部２ｆの解析結果情報とに基づき、各表示データに加工処理を施す。本実施形態においては、前景画像と背景画像との重なり状態、輝度の比較結果等から前景画像が背景画像の輝度によって不明瞭な表示とならないように、各画素値データの輝度の情報を加工する。また、背景画像に主要部分が含まれていない場合は、当該背景画像における前景画像の主要部分と重なる部分を含む周辺領域を黒画像（輝度最小の画像）とする加工処理を行うことも可能である。他にも、背景画像全体の輝度を小さくしたり、前景画像の主要部分の輝度を大きくしたりするなど様々な加工処理が可能となっている。本実施形態において、これら加工処理については、表示データに応じて柔軟に加工内容の設定を行うことが可能である。
【００８３】
加工処理を経た表示データ（画素値データ）は、データ制御部２ｃに送信される。なお、加工処理を施す必要がない場合は、表示データ（画素値データ）は処理を施されずにそのままデータ制御部２ｃに送信される。
データ通信部２ｈは、データ加工部２ｇにおいて加工処理を経た第２のプロジェクタ３用の表示データを通信ケーブルを介して当該第２のプロジェクタ３に送信したり、第２のプロジェクタ３から送信されたデータを受信したりするなどの通信ケーブルを介して接続された外部機器とのデータ通信を制御する。
【００８４】
データ表示部２ｉは、光源ランプ、レンズ等の光学材料により構成されており、表示データに応じて光源からの光を変調することで表示データに応じた光学像をスクリーン上に結像することが可能である。なお、データ表示部２ｉの光学構成は後述する。
表示位置取得部２ｊは、図示しない撮像装置によりスクリーン上に投射された画像を撮影し、その表示位置情報を取得する。取得した表示位置情報は、データ制御部２ｃに送信される。
【００８５】
投射位置一致部２ｋは、データ制御部２ｃに送信された表示位置情報を用いて、データ制御部２ｃから投射位置を補正するための制御量を算出し、当該算出した制御量に基づき投射位置を修正する。ここで、本実施形態においては、制御量に応じてモータ等を制御して投射レンズの位置を調整できる仕組みとなっている。
ここで、第１のプロジェクタ２は、図示しない、プロセッサと、ＲＡＭ（Random Access Memory）と、専用のプログラムの記憶されたＲＯＭ（Read Only Memory）とを備えており、プロセッサによって専用のプログラムを実行することにより、上記各部の機能を果たす。また、本実施形態において、上記各部は、専用のプログラムのみでその機能を果たすもの、専用のプログラムによりハードウェアを制御してその機能を果たすもの等が混在している。
【００８６】
更に、図３に基づき、データ表示部２ｉの光学構成を説明する。図３は、第１のプロジェクタ２におけるデータ表示部２ｉの光学構成を示す図である。
図３に示すように、データ表示部２ｉの光学構成３００は、超高圧水銀ランプやキセノンランプ等から成る光源１０と、光源１０からの光の輝度むらを分散し、照射面で一様な照度分布を得るための２枚のフライアイレンズ３２ａ，３２ｂと、フライアイレンズ３２ａ，３２ｂを介して入射した光の波長領域のうちＲＧＢ３原色の輝度をそれぞれ変調する色変調部１４と、色変調部１４から入射した光をスクリーン（不図示）に投射する投射部１６とを含んだ構成となっている。
【００８７】
色変調部１４は、透過率を独立に制御可能な複数の画素をマトリクス状に配列した構成の３枚の液晶ライトバルブ４０Ｒ，４０Ｇ，４０Ｂと、５枚のフィールドレンズ４２Ｒ，４２Ｇ，４２Ｂ1〜４２Ｂ3と、２枚のダイクロイックミラー４４ａ，４４ｂと、３枚のミラー４６ａ，４６ｂ，４６ｃと、ダイクロイックプリズム４８とを含んだ構成となっている。
【００８８】
上記光学構成３００の動作を簡単に説明すると、まず、２枚のフライアイレンズ３２ａ，３２ｂを介して色変調部１４に入射した光源１０からの光をダイクロイックミラー４４ａ，４４ｂにより赤色、緑色および青色のＲＧＢ３原色に分光するとともに、フィールドレンズ４２Ｒ，４２Ｇ，４２Ｂ1〜４２Ｂ3およびミラー４６ａ〜４６ｃを介して液晶ライトバルブ４０Ｒ〜４０Ｂに入射する。そして、分光したＲＧＢ３原色の光の輝度を液晶ライトバルブ４０Ｒ〜４０Ｂによりそれぞれ変調し、変調したＲＧＢ３原色の光をダイクロイックプリズム４８により集光して投射部１６に入射する。更に、投射部１６は、投射用レンズによって入射光をスクリーンへと投射する。
【００８９】
更に、図４に基づき、第２のプロジェクタ３の構成を説明する。図４は、第２のプロジェクタ３の構成を示すブロック図である。
図４に示すように、第２のプロジェクタ３は、第１のプロジェクタ２から送信されたデータを通信ケーブル１００を介して受信したり、通信ケーブル１００を介して第１のプロジェクタ２にデータを送信したりするなど当該第１のプロジェクタ２とデータ通信を行うためのデータ通信部３ａと、第２のプロジェクタ３の各構成要素を統括制御するデータ制御部３ｂと、第１のプロジェクタ２から取得した表示データやその他表示処理に必要なデータを記憶するデータ記憶部３ｃと、加工処理を経た第２のプロジェクタ３用の表示データに対応した画像を光投射可能なデータ表示部３ｄとを含んだ構成となっている。
【００９０】
データ制御部３ｂは、第１のプロジェクタ２からデータ通信部３ａを介して受信した表示データを、データ記憶部３ｃに記憶したり、当該記憶した表示データをデータ表示部３ｄに送信したりする。
データ表示部３ｄは、第１のプロジェクタ２におけるデータ表示部２ｉと同様の構成であるので説明を省略する。
【００９１】
ここで、第２のプロジェクタ３は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【００９２】
以下、図５及び図６に基づき、画像表示システム１のより具体的な動作を説明する。図５は、表示データを加工して２つの投射画像を重ねて表示する第１の例を示す図であり、図６は、表示データを加工して２つの投射画像を重ねて表示する第２の例を示す図である。
まず、図５に示す第１の例について説明する。
【００９３】
ここでは、データ選択部２ｅにおいて、第１表示データ取得部２ａを介して取得する表示データを前景画像、第２表示データ取得部２ｂを介して取得する表示データを背景画像とするように予め設定したとする。また、システム利用者の選択指示に応じて、データ選択部２ｅによって、図５に示す、画像５０の表示データが第１表示データ取得部２ａを介して選択され、画像５１の表示データが第２表示データ取得部２ｂを介して選択されたとする。本実施形態において、表示データの選択は、第１表示データ取得部２ａのカード挿入部に挿入されたカード型の記憶媒体の記憶内容のうち、例えば、表示データとして認識されるものをファイル名リストやサムネイルで図示しない表示部に一覧表示し、その中から任意の表示データを選択する構成となっている。また、第１のプロジェクタ２側において、第１のプロジェクタ２及び第２のプロジェクタ３のどちらが前景画像を投射し、どちらが背景画像を投射するのかも設定が可能である。ここでは、第１のプロジェクタ２で前景画像を投射し、第２のプロジェクタ３で背景画像を投射するように設定する。
【００９４】
一覧表示された表示データの中から画像５０及び画像５１の表示データがそれぞれ選択されると、データ制御部２ｃは、第１表示データ取得部２ａを介して画像５０の表示データを読み出し、これに前景画像であることを示す属性を付与してデータ記憶部２ｄに記憶する。これと同様に、第２表示データ取得部２ｂを介して画像５１の表示データを読み出し、これに背景画像であることを示す属性を付与してデータ記憶部２ｄに記憶する。
【００９５】
このような手順で、属性の付与された表示データが記憶されると、データ制御部２ｃは、これら記憶された表示データを読み出して、当該読み出した表示データをデータ解析部２ｆに渡す。以下、前景画像に対応した表示データを適宜前景データと称し、背景画像に対応した表示データを適宜背景データと称する。
データ解析部２ｆでは、まず前景データ及び背景データを解析して、主要部分を抽出する。本実施形態において、主要部分の抽出は、表示データにおける主要部分を判断するための情報（文字データ、輝度及び明度の変化など）が予め設定してあり、この情報に基づき文字や画像等をデータ解析やパターン認識等によって自動的に抽出する。なお、主要部分の抽出は、入力デバイス等を用いたシステム利用者の直接の指示に応じて行っても良い。ここでは、図５に示すように、前景画像である画像５０の表示データにおける文字部分を主要部分として抽出する。一方、背景画像である画像５１には主要部分が含まれていないと判断され、主要部分の抽出処理は行われない。なお、主要部分の抽出を行うか否かは、各表示データ毎に設定できるようにしても良く、例えば、抽出処理を行わない設定がされた表示データは全体を１つの画像として取り扱う。また、本実施形態においては、画像全体に対する主要部分の位置情報も取得する。これにより、抽出した主要部分の位置情報から前景画像の主要部分と背景画像との重なり状態が解る。
【００９６】
ここで、表示データがＸＭＬ（eXtensible Markup Language）等の構造化されたドキュメントフォーマットである場合は、その構造に基づいて主要部分を抽出するようにしても良い。例えば、表示データにおける＜ｔｉｔｌｅ＞、＜ｔｅｘｔ＞要素を主要部分とみなすようにすれば簡易な方法で主要部分を抽出することが可能となる。
更に、上記抽出した前景画像となる画像５０の主要部分の輝度及び背景画像となる画像５１の輝度（例えば、画像全体の平均輝度）と、予め設定された輝度の閾値（例えば、表示可能な輝度範囲の中央値）とを比較する。このため、比較に用いる前景画像の主要部、背景画像等の輝度値はこれらの平均値等を算出して決定する必要がある。また、この比較処理においては、画素値データではないアプリケーションソフトに特有のファイル形式の表示データは、ＲＧＢ（red，green，blue）の光の３原色の各色毎の輝度値を画像の全画素について格納したデータ（画素値データ）に変換される。ここでは、上記比較により主要部分の輝度及び背景画像の輝度が閾値よりも小さいと判定されたとする。これらの比較結果、抽出結果及び重なり状態のデータは、解析結果情報として表示データ（画素値データ）と共に、データ制御部２ｃを介してデータ加工部２ｇに渡される。
【００９７】
一方、データ加工部２ｇにおいては、上記解析結果情報に基づき表示データを加工する。表示データの加工は、図５に示すように、まず前景画像から抽出した主要部分（図５中の「新製品のご案内」の文字部分）の画素値を加工して輝度を上記閾値より大きくすると共に、その背景部分の画素値を加工して輝度を最小輝度（例えば、黒色）にする。また、重なり状態のデータから、前景画像の主要部分と背景画像との重なる部分の背景画像側の輝度を上記閾値より小さくする処理を行うが、この場合は、背景画像全体の輝度が閾値よりも小さいので加工処理は行わない。
【００９８】
加工処理が終了すると、データ制御部２ｃは、加工処理を経た前景画像のデータをデータ表示部２ｉに渡し、一方、加工処理を経た背景画像のデータをデータ通信部２ｈを介して第２のプロジェクタ３に送信する。
データ表示部２ｉは、加工処理を経た表示データに基づき、光源１０からの光をＲＧＢの各色に対応した液晶ライトバルブ４０Ｒ〜４０Ｂにおいて変調し、当該変調された各色の光をダイクロイックプリズム４８において合成し、当該合成した光を投射部１６においてスクリーン４に拡大投射する。
【００９９】
一方、第２のプロジェクタ３は、第１のプロジェクタ２から送信された表示データを、データ通信部３ａを介して受信すると、データ制御部３ｂにおいて、当該受信した表示データを、データ記憶部３ｃに記憶すると共にデータ表示部３ｄに渡す。データ表示部３ｄは、データ表示部２ｉと同様に、表示データに基づき、光源１０からの光をＲＧＢの各色に対応した液晶ライトバルブ４０Ｒ〜４０Ｂにおいて変調し、当該変調された各色の光をダイクロイックプリズム４８において合成し、当該合成した光を投射部１６においてスクリーン４に拡大投射する。
【０１００】
第１のプロジェクタ２は、表示データに対応する画像をスクリーン４上に投射すると、表示位置取得部２ｊにおいて、画像５０及び画像５１の投射位置の情報を取得してデータ制御部２ｃに渡す。データ制御部２ｃは、取得した画像５０及び画像５１の投射位置の情報を比較し、両者の投射位置がずれている場合は、画像５０の投射位置が画像５１の投射位置と同じになるように制御量を算出して、当該算出した制御量により投射位置一致部２ｋを制御する。これにより、図５の画像５２に示すように、第１のプロジェクタ２の投射する画像５０と、第２のプロジェクタ３の投射する画像５１とはスクリーン４上の同じ位置に重なって表示される。このとき、画像５２において、前景画像の主要部分は輝度を大きくし、その背景部分は最小輝度（例えば、黒色）にしてあるので、前景画像の主要部分は、輝度が上記閾値より小さい背景画像と重なっても明瞭に表示される。
【０１０１】
更に、図６に示す第２の例を説明する。
ここでは、第１のプロジェクタ２の各種設定が上記図５の例と同様であるとする。
第１表示データ取得部２ａ及び第２の表示データ取得部２ｂの挿入部にカード型の記憶媒体が挿入され且つ表示データの一覧が表示されると、システム利用者の選択指示に応じて、データ選択部２ｅによって、図６に示す、画像６０の表示データが第１表示データ取得部２ａを介して選択され、画像６１の表示データが第２表示データ取得部２ｂを介して選択される。表示データが選択されると、データ制御部２ｃは、第１表示データ取得部２ａを介して画像６０の表示データを読み出し、これに前景画像であることを示す属性を付与してデータ記憶部２ｄに記憶する。これと同様に、第２表示データ取得部２ｂを介して画像６１の表示データを読み出し、これに背景画像であることを示す属性を付与してデータ記憶部２ｄに記憶する。
【０１０２】
このような手順で、属性の付与された表示データが記憶されると、データ制御部２ｃは、これら記憶された表示データを読み出して、当該読み出した表示データをデータ解析部２ｆに渡す。
データ解析部２ｆでは、まず前景画像の表示データを解析して、主要部分を抽出する（ここでは、「新製品のご案内」の文字）。更に、画像全体に対する主要部分の位置情報も取得する。これにより、抽出した主要部分の位置情報から前景画像の主要部分と背景画像との重なり状態が解る。更に、上記抽出した前景画像となる画像６０の主要部分の輝度及び背景画像となる画像６１の輝度と、予め設定された輝度の閾値（例えば、表示可能な輝度範囲の中央値）とを比較する。ここでは、上記比較により、前景画像の主要部分の輝度が閾値よりも小さく、背景画像の輝度が閾値よりも大きいと判定されたとする。これらの比較結果、抽出結果及び重なり状態のデータは、解析結果情報として表示データ（画素値データ）と共に、データ制御部２ｃを介してデータ加工部２ｇに渡される。
【０１０３】
一方、データ加工部２ｇにおいては、上記解析結果情報に基づき表示データを加工する。表示データの加工は、図６に示すように、比較結果から、前景画像の主要部分の輝度が閾値よりも小さく、背景画像の輝度は閾値より大きいので、この場合に、重なり状態のデータから前景画像の主要部分と背景画像とが重なる位置及びその周辺の背景画像の画素値を閾値よりも輝度が小さくなるように加工する（図６中の６２）。
【０１０４】
加工処理が終了すると、データ制御部２ｃは、加工処理を経た前景画像のデータをデータ表示部２ｉに渡し、一方、加工処理を経た背景画像のデータをデータ通信部２ｈを介して第２のプロジェクタ３に送信する。
データ表示部２ｉは、加工処理を経た表示データに基づき、光源１０からの光をＲＧＢの各色に対応した液晶ライトバルブ４０Ｒ〜４０Ｂにおいて変調し、当該変調された各色の光をダイクロイックプリズム４８において合成し、当該合成した光を投射部１６においてスクリーン４に拡大投射する。
【０１０５】
一方、第２のプロジェクタ３は、第１のプロジェクタ２から送信された表示データを、データ通信部３ａを介して受信すると、データ制御部３ｂにおいて、当該受信した表示データを、データ記憶部３ｃに記憶すると共に、データ表示部３ｄに渡す。データ表示部３ｄは、データ表示部２ｉと同様に、表示データに基づき、光源１０からの光をＲＧＢの各色に対応した液晶ライトバルブ４０Ｒ〜４０Ｂにおいて変調し、当該変調された各色の光をダイクロイックプリズム４８において合成し、当該合成した光を投射部１６においてスクリーン４に拡大投射する。
【０１０６】
ここで、投射位置の一致処理については、上記図５の例と同様となるので記載を省略する。
最終的に、図６の画像６３に示すように、第１のプロジェクタ２の投射する画像６０と、第２のプロジェクタ３の投射する画像６２とはスクリーン４上の同じ位置に重なって表示される。このとき、画像６３において、前景画像の主要部分と背景画像とが重なる位置及びその周辺の背景画像の画素値を閾値よりも輝度が小さくなるように加工してあるので、前景画像の主要部分は、背景画像と重なっても明瞭に表示される。ここで、背景画像の加工処理を施さない場合は、図６に示す画像６４のように、背景画像の輝度によって前景画像の主要部分の表示が不明瞭となる。
【０１０７】
更に、図７に基づき、第１のプロジェクタ２の動作処理の流れを説明する。図７は、第１のプロジェクタ２の動作処理を示すフローチャートである。
図７に示すように、まずステップＳ１００に移行し、データ制御部２ｃにおいて、データ選択部２ｅにより前景画像及び背景画像に対応する表示データがそれぞれ選択されたか否かを判定し、選択されたと判定された場合(Yes)はステップＳ１０２に移行し、そうでない場合(No)は選択されるまで待機する。
【０１０８】
ステップＳ１０２に移行した場合は、データ制御部２ｃによって、選択された表示データにそれぞれ前景画像又は背景画像の属性を付与してデータ記憶部２ｄに記憶してステップＳ１０４に移行する。
ステップＳ１０４では、データ制御部２ｃによって、データ記憶部２ｄに記憶された２つの表示データを読み出し、当該読み出した表示データをデータ解析部２ｆに送信してステップＳ１０６に移行する。
【０１０９】
ステップＳ１０６では、データ解析部２ｆにおいて、表示データの解析処理を行い解析結果情報をデータ制御部２ｃに渡してステップＳ１０８に移行する。
ステップＳ１０８では、データ制御部２ｃによって、データ解析部２ｆからの表示データ及び解析結果情報をデータ加工部２ｇに送信してステップＳ１１０に移行する。
ステップＳ１１０では、データ加工部２ｇによって、データ解析部２ｆからの解析結果情報に基づき表示データに加工処理を施し、当該処理後の表示データをデータ制御部２ｃに渡してステップＳ１１２に移行する。
【０１１０】
ステップＳ１１２では、データ制御部２ｃによって、加工処理を経た前景画像（設定により背景画像の場合もある）の表示データをデータ表示部２ｉに送信し、更に、加工処理を経た背景画像（設定により前景画像の場合もある）の表示データを、データ通信部２ｈを介して第２のプロジェクタ３に送信してステップＳ１１４に移行する。
ステップＳ１１４では、データ表示部２ｉによって、加工処理を経た前景画像の表示データに基づき、当該表示データの画像をスクリーン４上に投射してステップＳ１１６に移行する。
【０１１１】
ステップＳ１１６では、表示位置取得部２ｊによって、スクリーン４上に投射された画像の表示位置情報を取得して、当該取得した位置情報をデータ制御部２ｃに渡してステップＳ１１８に移行する。
ステップＳ１１８では、データ制御部２ｃにおいて、表示位置取得部２ｊから取得した位置情報に基づき、投射位置が一致しているか否かを判定し、一致していると判定された場合(Yes)はステップＳ１００に移行し、そうでない場合(No)はステップＳ１２０に移行する。
【０１１２】
ステップＳ１２０に移行した場合は、データ制御部２ｃにおいて、表示位置取得部２ｊから取得した位置情報に基づき表示位置を補正するための制御量を算出し、当該算出制御量により投射位置一致部２ｋを制御して表示位置を補正してステップＳ１１６に移行する。
更に、図８に基づき、第１のプロジェクタ２におけるデータ解析部２ｆの動作処理の流れを説明する。図８は、第１のプロジェクタ２におけるデータ解析部２ｆの動作処理を示すフローチャートである。
【０１１３】
図８に示すように、まずステップＳ２００に移行し、データ制御部２ｃから表示データを取得したか否かを判定し、取得したと判定された場合(Yes)はステップＳ２０２に移行し、そうでない場合(No)は取得するまで待機する。
ステップＳ２０２に移行した場合は、抽出条件に基づき、前景画像及び背景画像となる表示データから主要部分の抽出処理及び主要部分の位置情報の取得処理を行いステップＳ２０４に移行する。
【０１１４】
ステップＳ２０４では、取得した主要部分の位置情報に基づき、前景画像と背景画像との重なり状態を判定してステップＳ２０６に移行する。
ステップＳ２０６では、背景画像の輝度値と、予め設定されている輝度の閾値とを比較してステップＳ２０８に移行する。
ステップＳ２０８では、抽出結果、重なり状態及び比較結果のデータを、表示データと共にデータ制御部に送信してステップＳ２００に移行する。
【０１１５】
更に、図９に基づき、第１のプロジェクタ２におけるデータ加工部２ｇの動作処理の流れを説明する。図９は、第１のプロジェクタ２におけるデータ加工部２ｇの動作処理を示すフローチャートである。
図９に示すように、まずステップＳ３００に移行し、データ制御部２ｃから表示データ及び解析結果情報を取得したか否かを判定し、取得したと判定された場合(Yes)はステップＳ３０２に移行し、そうでない場合(No)は取得するまで待機する。
【０１１６】
ステップＳ３０２に移行した場合は、解析結果情報に基づき、前景画像の表示データに対して加工処理を施してステップＳ３０４に移行する。
ステップＳ３０４では、解析結果情報に基づき、背景画像の表示データに対して加工処理を施してステップＳ３０６に移行する。
ステップＳ３０６では、加工処理の施された表示データをデータ制御部に送信してステップＳ３００に移行する。
【０１１７】
更に、図１０に基づき、第２のプロジェクタ３の動作処理の流れを説明する。図１０は、第２のプロジェクタ３の動作処理を示すフローチャートである。
図１０に示すように、まずステップＳ４００に移行し、データ制御部３ｂにおいて、第１のプロジェクタ２からの表示データを、データ通信部３ａを介して受信したか否かを判定し、受信したと判定された場合(Yes)はステップＳ４０２に移行し、そうでない場合(No)は受信するまで待機する。
【０１１８】
ステップＳ４０２に移行した場合は、データ制御部３ｂによって、上記受信した表示データを、データ記憶部３ｃに記憶すると共にデータ表示部３ｄに送信してステップＳ４０４に移行する。
ステップＳ４０４では、データ表示部３ｄにおいて、加工処理を経た表示データに基づき、当該表示データの画像をスクリーン４上に投射してステップＳ４００に移行する。
【０１１９】
以上、第１の実施形態における画像表示システム１によれば、第１のプロジェクタ２におけるデータ解析部２ｆにおいて、前景画像及び背景画像にそれぞれ対応した２つの表示データを解析して、主要部分の抽出、前景画像と背景画像との重なり状態、背景画像の輝度と閾値との比較処理を行うことが可能であり、データ加工部２ｇにおいて、上記解析結果情報に基づき、主要部分の輝度を大きくしたり、前景画像の主要部分と背景画像とが重なる位置及びその周辺の背景画像の輝度を小さくするなどの表示データの加工処理を行うことが可能であり、これら加工処理を経た表示データを、第１のプロジェクタ２及び第２のプロジェクタ３において、例えば、一方で前景画像を、他方で背景画像をスクリーン４上に重ねて投射することにより、前景画像の主要部分の表示が不明瞭にならない状態で２つの画像を重ねて表示することが可能である。
【０１２０】
また、データ制御部２ｃ、表示位置取得部２ｊ及び投射位置一致部２ｋによって、第１のプロジェクタ２及び第２のプロジェクタ３によって投射される２つの画像の表示位置を一致させることが可能である。
上記第１の実施形態において、第１のプロジェクタ２は、発明１、２、３、１０、１２、１８、２５、３１、３８及び４４のいずれか１の第１光投射型表示装置に対応する。
【０１２１】
また、上記第１の実施形態において、第１表示データ取得部２ａ及び第２表示データ取得部２ｂは、２、３及び１２のいずれか１の表示データ取得手段に対応する。
また、上記第１の実施形態において、データ解析部２ｆは、発明２、３、５、１２及び１３のいずれか１の表示データ解析手段に対応する。
また、上記第１の実施形態において、データ加工部２ｇは、発明１、２、３、５〜９、１１〜１７のいずれか１の表示データ加工手段に対応する。
【０１２２】
また、上記第１の実施形態において、データ選択部２ｅにおける、前景画像及び背景画像の設定処理は、発明５又は１３の画像設定手段に対応する。
また、上記第１の実施形態において、データ解析部２ｆにおける、画像の重なり状態を判定する処理は、発明８、９、１６及び１７のいずれか１の重なり状態判定手段に対応する。
【０１２３】
また、上記第１の実施形態において、データ制御部２ｃ、表示位置取得部２ｊ及び投射位置一致部２ｋによる、２つの画像の投射位置を一致させる処理は、発明１０又は１８の表示位置一致手段に対応する。
〔第２の実施形態〕
以下、本発明の第２の実施形態を図面に基づき説明する。図１１〜図１５は、本発明に係る画像表示システムの第２の実施形態を示す図である。
【０１２４】
まず、本発明の第２の実施形態に係る画像表示システムの構成を図１１に基づき説明する。図１１は、本発明の第２の実施形態に係る画像表示システム５の構成を示す概観図である。
画像表示システム５は、表示データに基づき当該表示データに対応する画像を光投射可能な２台の第２のプロジェクタ３と、表示データに基づき当該表示データを加工処理可能な表示データ処理装置６と、光投射された画像を表示するためのスクリーン４とを含んだ構成となっている。更に、表示データ処理装置６と、２台の第２のプロジェクタ３とは、通信ケーブル１００及びハブ２００を介して互いに通信可能に接続されており、表示データ処理装置６は、加工処理後の表示データを通信ケーブル１００及びハブ２００を介して２台の第２のプロジェクタ３にそれぞれ送信することが可能である。
【０１２５】
更に、図１２に基づき、表示データ処理装置６の詳細な構成を説明する。図１２は、表示データ処理装置６の詳細構成を示すブロック図である。
図１２に示すように、表示データ処理装置６は、カード型の記憶媒体等を介して表示データを取得する表示データ取得部６ａと、表示データ処理装置６の各構成要素を統括制御するデータ制御部６ｂと、表示データ取得部６ａを介して取得した表示データや各処理に必要なデータを記憶するデータ記憶部６ｃと、記憶媒体に記憶された表示データの中から任意の表示データを選択可能なデータ選択部６ｄと、データ選択部６ｄによって選択された表示データを解析するデータ解析部６ｅと、データ解析部６ｅの解析結果に基づき表示データに加工処理を施すデータ加工部６ｆと、加工処理を経た表示データを、第２のプロジェクタ３に送信するなど当該第２のプロジェクタ３とデータ通信を行うためのデータ通信部６ｇと、を含んだ構成となっている。
【０１２６】
表示データ取得部６ａは、カード型の記憶媒体等から電気的接触、磁気的接触等を介して当該記憶媒体に記憶されたデータを取得可能な状態とする機能を有している。
データ制御部６ｂは、表示データ取得部６ａを介して記憶媒体からデータを取得し、当該取得したデータをデータ記憶部６ｃに記憶したり、データ記憶部６ｃに記憶されたデータを読み出して、当該読み出したデータを各構成要素に送信したり、各構成要素において処理されたデータを他の構成要素に中継したりするなど各構成要素間のデータの授受を統括制御する機能などを有している。
【０１２７】
データ記憶部６ｃは、データ制御部６ｂの制御命令に応じて、表示データ取得部６ａ、データ通信部６ｇ等を介して取得したデータをメモリに記憶したり、データ制御部６ｂの制御命令に応じて、メモリに記憶されたデータを出力する機能を有している。
データ選択部６ｄは、記憶媒体に記憶された表示データの中から、２台の第２のプロジェクタ３にそれぞれ投射させる表示データを任意に選択する機能を有している。また、本実施形態においては、選択される表示データのいずれか一方を前景画像とし、他方を背景画像として設定することが可能となっている。従って、データ制御部６ｂは、設定内容に応じて、選択された２つの表示データの一方に前景画像、他方に背景画像の属性をそれぞれ付加してデータ記憶部６ｃに記憶する。
【０１２８】
データ解析部６ｅは、データ制御部６ｂを介して取得した表示データを解析する機能を有している。本実施形態においては、取得した表示データが、前景か背景かの設定情報、どのようなアプリケーションソフトに対応しているかを示す形式情報、表示データに含まれる主要部分（文字データ等）の情報、２つの表示データを重ねた場合の重なり状態の情報等を解析により取得することが可能である。更に、本実施形態においては、上記主要部分の情報に基づき、表示データから主要部分を抽出する機能を有している。また、抽出処理を経た各表示データをプロジェクタにおいて投射処理可能な形式（画素値データ）に変換し、当該画素値データに基づき、前景画像及び背景画像の輝度をそれぞれ算出し、当該算出した輝度と予め用意された閾値とを比較する処理を行う。上記した各解析情報、抽出された主要部で構成される画素値データ及び輝度の比較結果は、解析結果情報としてデータ制御部６ｂに送信される。
【０１２９】
データ加工部６ｆは、データ制御部６ｂを介して取得した、各第２のプロジェクタ３においてそれぞれ１つずつ投射する計２つの表示データと、データ解析部６ｅの解析結果情報とに基づき、各表示データに加工処理を施す。本実施形態においては、前景画像と背景画像との重なり状態、輝度の比較結果等から前景画像が背景画像の輝度によって不明瞭な表示とならないように、各画素値データの輝度の情報を加工する。また、背景画像に主要部分が含まれていない場合は、当該背景画像における前景画像の主要部分と重なる部分を含む周辺領域を黒画像（輝度最小の画像）とする加工処理を行うことも可能である。他にも、背景画像全体の輝度を小さくしたり、前景画像の主要部分の輝度を大きくしたりするなど様々な加工処理が可能となっている。本実施形態において、これら加工処理については、表示データに応じて柔軟に加工内容の設定を行うことが可能である。
【０１３０】
加工処理を経た表示データ（画素値データ）は、データ制御部６ｂに送信される。なお、加工処理を施す必要がない場合は、表示データ（画素値データ）は処理を施されずにそのままデータ制御部６ｂに送信される。
データ通信部６ｇは、データ加工部６ｆにおいて加工処理を経た第２のプロジェクタ３用の表示データを通信ケーブルを介して２台の第２のプロジェクタ３にそれぞれ送信したり、第２のプロジェクタ３から送信されたデータを受信したりするなどの通信ケーブル１００及びハブ２００を介して接続された外部機器とのデータ通信を制御する。
【０１３１】
ここで、表示データ処理装置６は、図示しない、プロセッサと、ＲＡＭ（Random Access Memory）と、専用のプログラムの記憶されたＲＯＭ（Read Only Memory）とを備えており、プロセッサによって専用のプログラムを実行することにより、上記各部の機能を果たす。また、本実施形態において、上記各部は、専用のプログラムのみでその機能を果たすもの、専用のプログラムによりハードウェアを制御してその機能を果たすもの等が混在している。
【０１３２】
また、第２のプロジェクタ３の詳細な説明は、上記第１の実施形態において既に述べているので説明を省略する。
以下、図１３及び図１４に基づき、画像表示システム５のより具体的な動作を説明する。図１３は、表示データを加工して２つの投射画像を重ねて表示する第３の例を示す図であり、図１４は、表示データを加工して２つの投射画像を重ねて表示する第４の例を示す図である。
【０１３３】
まず、図１３に示す第３の例について説明する。
ここでは、データ選択部６ｄにおいて、表示データ取得部６ａを介して取得する表示データのうち一方を前景画像、他方を背景画像として選択する。ここでは、システム利用者の選択指示に応じて、データ選択部６ｄによって、図１３に示す、画像１３０の表示データが前景画像として選択され、画像１３１の表示データが背景画像として選択されたとする。本実施形態において、表示データの選択は、カード型の記憶媒体、ＣＤ−Ｒ、ＤＶＤ−Ｒ等の記憶媒体の記憶内容のうち、例えば、表示データとして認識されるものをファイル名リストやサムネイルで図示しない表示部に一覧表示し、その中から任意の表示データを選択する構成となっている。また、２台の第２のプロジェクタ３のうち、どちらが前景画像を投射し、どちらが背景画像を投射するのかは各第２のプロジェクタ３の固有情報等により設定が可能である。
【０１３４】
一覧表示された表示データの中から画像１３０及び画像１３１の表示データがそれぞれ選択されると、データ制御部６ｂは、表示データ取得部６ａを介して画像１３０及び画像１３１の表示データを読み出し、画像１３０の表示データに前景画像であることを示す属性を付与し、画像１３１の表示データに背景画像であることを示す属性を付与してそれぞれデータ記憶部６ｃに記憶する。
【０１３５】
このような手順で、属性の付与された表示データが記憶されると、データ制御部６ｂは、これら記憶された表示データを読み出して、当該読み出した表示データをデータ解析部６ｅに渡す。データ解析部６ｅでは、まず前景データ及び背景データを解析して、主要部分を抽出する。本実施形態において、主要部分の抽出は、表示データにおける主要部分を判断するための情報（文字データ、輝度及び明度の変化など）が予め設定してあり、この情報に基づき文字や画像等をデータ解析やパターン認識等によって自動的に抽出する。なお、主要部分の抽出は、入力デバイス等を用いたシステム利用者の直接の指示に応じて行っても良い。ここでは、図１３に示すように、前景画像である画像１３０の表示データにおける文字部分を主要部分として抽出する。一方、背景画像である画像１３１には主要部分が含まれていないと判断され、主要部分の抽出処理は行われない。なお、主要部分の抽出を行うか否かは、各表示データ毎に設定できるようにしても良く、例えば、抽出処理を行わない設定がされた表示データは全体を１つの画像として取り扱う。また、本実施形態においては、画像全体に対する主要部分の位置情報も取得する。これにより、抽出した主要部分の位置情報から前景画像の主要部分と背景画像との重なり状態が解る。
【０１３６】
更に、上記抽出した前景画像となる画像１３０の主要部分の輝度及び背景画像となる画像１３１の輝度（例えば、画像全体の平均輝度）と、予め設定された輝度の閾値（例えば、表示可能な輝度範囲の中央値）とを比較する。このため、比較に用いる前景画像の主要部、背景画像等の輝度値はこれらの平均値等を算出して決定する必要がある。また、この比較処理においては、画素値データではないアプリケーションソフトに特有のファイル形式の表示データは、ＲＧＢ（red，green，blue）の光の３原色の各色毎の輝度値を画像の全画素について格納したデータ（画素値データ）に変換される。ここでは、上記比較により、画像１３０の主要部分の輝度及び背景画像の輝度が両者とも閾値よりも小さいと判定されたとする。これらの比較結果、抽出結果及び重なり状態のデータは、解析結果情報として表示データ（画素値データ）と共に、データ制御部６ｂを介してデータ加工部６ｆに渡される。
【０１３７】
一方、データ加工部６ｆにおいては、上記解析結果情報に基づき表示データを加工する。表示データの加工は、図１３に示すように、まず前景画像から抽出した主要部分（図１３中の「新製品のご案内」の文字部分）の画素値を加工して輝度を上記閾値より大きくすると共に、その背景部分の画素値を加工して輝度を最小輝度（例えば、黒色）にする。また、図１３の例においては、背景画像全体の画素値を加工して輝度を閾値より小さくする処理を行う（ここでは、最小輝度まで輝度を小さくしないで、背景画像として視認できる程度に小さくする）。
【０１３８】
加工処理が終了すると、データ制御部２ｃは、加工処理を経た前景画像の表示データをデータ通信部６ｇを介して第２のプロジェクタ３の一方に送信し、加工処理を経た背景画像のデータをデータ通信部２ｈを介して第２のプロジェクタ３の他方に送信する。
第２のプロジェクタ３の一方は、表示データ処理装置６から送信された前景画像の表示データを、データ通信部３ａを介して受信すると、データ制御部３ｂにおいて、当該受信した表示データを、データ記憶部３ｃに記憶すると共にデータ表示部３ｄに渡す。データ表示部３ｄは、データ表示部２ｉと同様に、表示データに基づき、光源１０からの光をＲＧＢの各色に対応した液晶ライトバルブ４０Ｒ〜４０Ｂにおいて変調し、当該変調された各色の光をダイクロイックプリズム４８において合成し、当該合成した光を投射部１６においてスクリーン４に拡大投射する。
【０１３９】
一方、第２のプロジェクタ３の他方は、表示データ処理装置６から送信された背景画像の表示データを、データ通信部３ａを介して受信すると、データ制御部３ｂにおいて、当該受信した表示データを、データ記憶部３ｃに記憶すると共にデータ表示部３ｄに渡す。データ表示部３ｄは、データ表示部２ｉと同様に、表示データに基づき、光源１０からの光をＲＧＢの各色に対応した液晶ライトバルブ４０Ｒ〜４０Ｂにおいて変調し、当該変調された各色の光をダイクロイックプリズム４８において合成し、当該合成した光を投射部１６においてスクリーン４に拡大投射する。
【０１４０】
これにより、図１３の画像１３２に示すように、第２のプロジェクタ３の一方が投射する画像と、第２のプロジェクタ３の他方が投射する画像とはスクリーン４上の同じ位置に重なって表示される。このとき、画像１３２において、前景画像の主要部分は輝度を大きくし、その背景部分は輝度を最小輝度にし、更に背景画像全体の輝度を閾値より小さくしたので、前景画像の主要部分は背景画像と重なっても明瞭に表示される。
【０１４１】
更に、図１４に示す第４の例を説明する。
ここでは、システム利用者の選択指示に応じて、データ選択部６ｄによって、図１４に示す、画像１４０の表示データが前景画像として選択され、画像１４１の表示データが背景画像として選択されたとする。
表示データが選択されると、データ制御部６ｂは、表示データ取得部６ａを介して画像１４０及び画像１４１の表示データを読み出し、画像１４０の表示データに前景画像であることを示す属性を付与し、画像１４１の表示データに背景画像であることを示す属性を付与してそれぞれデータ記憶部６ｃに記憶する。
【０１４２】
このような手順で、属性の付与された表示データが記憶されると、データ制御部６ｂは、これら記憶された表示データを読み出して、当該読み出した表示データをデータ解析部６ｅに渡す。データ解析部６ｅでは、まず前景データ及び背景データを解析して、主要部分を抽出する。ここでは、図１４に示すように、前景画像である画像１４０の表示データにおけるマグカップの画像を主要部分として抽出し（図１４中の１４０ａ）、一方、背景画像である画像１４１の表示データにおけるソーサーの画像を主要部分として抽出する（図１４中の１４１ａ）。また、本実施形態においては、画像全体に対する主要部分の位置情報も取得する。これにより、抽出した主要部分の位置情報から前景画像の主要部分（以下、前景部分と称す）と背景画像の主要部分（以下、背景部分と称す）との重なり状態が解る。
【０１４３】
更に、上記抽出した前景部分の輝度及び背景部分の輝度と、予め設定された輝度の閾値（例えば、表示可能な輝度範囲の中央値）とを比較する。ここでは、上記比較により、前景部分の輝度及び背景部分の輝度が閾値よりも大きいと判定されたとする。これらの比較結果、抽出結果及び重なり状態のデータは、解析結果情報として表示データ（画素値データ）と共に、データ制御部６ｂを介してデータ加工部６ｆに渡される。
【０１４４】
一方、データ加工部６ｆにおいては、上記解析結果情報に基づき表示データを加工する。表示データの加工は、図１４に示すように、比較結果から、前景部分の輝度及び背景部分の輝度が閾値よりも大きいので、前景データにおける前景部分以外の画像の輝度を最小輝度にし（図１４中の１４２）、背景データにおける背景部分以外の画像の輝度を最小輝度にする（図１４中の１４３）ように各データの画素値を加工する。更に、重なり状態のデータから、背景部分における、前景部分と背景部分とが重なる部分及びその周囲の画素値を加工して、その部分の画像の輝度が最小輝度値となるようにする（図１４中の１４１ｂ）。
【０１４５】
加工処理が終了すると、データ制御部６ｂは、加工処理を経た前景画像の表示データを、データ通信部６ｇを介して第２のプロジェクタ３の一方に送信し、加工処理を経た背景画像の表示データを、データ通信部６ｇを介して第２のプロジェクタ３の他方に送信する。
第２のプロジェクタ３の一方は、表示データ処理装置６から送信された前景画像の表示データを、データ通信部３ａを介して受信すると、データ制御部３ｂにおいて、当該受信した表示データを、データ記憶部３ｃに記憶すると共にデータ表示部３ｄに渡す。データ表示部３ｄは、データ表示部２ｉと同様に、表示データに基づき、光源１０からの光をＲＧＢの各色に対応した液晶ライトバルブ４０Ｒ〜４０Ｂにおいて変調し、当該変調された各色の光をダイクロイックプリズム４８において合成し、当該合成した光を投射部１６においてスクリーン４に拡大投射する。
【０１４６】
一方、第２のプロジェクタ３の他方は、表示データ処理装置６から送信された背景画像の表示データを、データ通信部３ａを介して受信すると、データ制御部３ｂにおいて、当該受信した表示データを、データ記憶部３ｃに記憶すると共にデータ表示部３ｄに渡す。データ表示部３ｄは、データ表示部２ｉと同様に、表示データに基づき、光源１０からの光をＲＧＢの各色に対応した液晶ライトバルブ４０Ｒ〜４０Ｂにおいて変調し、当該変調された各色の光をダイクロイックプリズム４８において合成し、当該合成した光を投射部１６においてスクリーン４に拡大投射する。
【０１４７】
これにより、図１４の画像１４４に示すように、第２のプロジェクタ３の一方が投射する画像と、第２のプロジェクタ３の他方が投射する画像とはスクリーン４上の同じ位置に重なって表示される。このとき、画像１４４において、前景画像における前景部分以外の画像部分の輝度を最小輝度にし、背景画像における背景部分以外の画像部分の輝度を最小輝度にし、更に、背景部分における、前景部分と背景部分とが重なる画像部分及びその周囲の画像部分の輝度を最小輝度値にしたので、前景部分及び背景部分とが重なっても両者は明瞭に表示される。
【０１４８】
更に、図１５に基づき、表示データ処理装置６の動作処理の流れを説明する。図１５は、表示データ処理装置６の動作処理を示すフローチャートである。
図１５に示すように、まずステップＳ５００に移行し、データ制御部６ｂにおいて、データ選択部６ｄにより前景画像及び背景画像に対応する表示データがそれぞれ選択されたか否かを判定し、選択されたと判定された場合(Yes)はステップＳ５０２に移行し、そうでない場合(No)は選択されるまで待機する。
【０１４９】
ステップＳ５０２に移行した場合は、データ制御部６ｂによって、選択された表示データにそれぞれ前景画像又は背景画像の属性を付与してデータ記憶部６ｃに記憶してステップＳ５０４に移行する。
ステップＳ５０４では、データ制御部６ｂによって、データ記憶部６ｃに記憶された２つの表示データを読み出し、当該読み出した表示データをデータ解析部６ｅに送信してステップＳ５０６に移行する。
【０１５０】
ステップＳ５０６では、データ解析部６ｅにおいて、表示データの解析処理を行い解析結果情報をデータ制御部６ｂに渡してステップＳ５０８に移行する。
ステップＳ５０８では、データ制御部６ｂによって、データ解析部６ｅからの表示データ及び解析結果情報をデータ加工部６ｆに送信してステップＳ５１０に移行する。
ステップＳ５１０では、データ加工部６ｆによって、データ解析部６ｂの解析結果に基づき表示データに加工処理を施し、当該処理後の表示データをデータ制御部６ｂに渡してステップＳ５１２に移行する。
【０１５１】
ステップＳ５１２では、データ制御部６ｂによって、加工処理を経た前景画像（設定により背景画像の場合もある）の表示データを、データ通信部６ｇを介して２台ある第２のプロジェクタの一方に送信し、更に、加工処理を経た背景画像（設定により前景画像の場合もある）の表示データを、データ通信部６ｇを介して第２のプロジェクタ３の他方に送信してステップＳ５００に移行する。
【０１５２】
ここで、データ解析部６ｅ及びデータ加工部６ｆにおける詳細な動作処理は、上記第１の実施形態における図８及び図９のフローチャートと同様となるので記載を省略する。
以上、第２の実施形態における画像表示システム５によれば、表示データ処理部６におけるデータ解析部６ｅにおいて、前景画像及び背景画像にそれぞれ対応した２つの表示データを解析して、主要部分の抽出、前景画像と背景画像との重なり状態、背景画像の輝度と閾値との比較処理を行うことが可能であり、データ加工部６ｆにおいて、上記解析結果情報に基づき、主要部分の輝度を大きくしたり、前景画像の主要部分と背景画像の主要部とが重なる背景画像の画像部分及びその周囲の画像部分の輝度を小さくするなどの表示データの加工処理を行うことが可能であり、これら加工処理を経た表示データを、２台ある第２のプロジェクタ３において、例えば、一方で前景画像を、他方で背景画像をスクリーン４上に重ねて投射することにより、前景画像の主要部分及び背景画像の主要部分の表示がそれぞれ不明瞭にならない状態で２つの画像を重ねて表示することが可能である。
【０１５３】
上記第２の実施形態において、表示データ処理装置６は、発明４、１９〜２４、３２〜３７、４５及び４６のいずれか１の表示データ処理装置に対応する。
また、上記第２の実施形態において、表示データ取得部６ａは、発明４又は１９の表示データ取得手段に対応する。
また、上記第２の実施形態において、データ解析部６ｅは、発明４、５、１９及び２０のいずれか１の表示データ解析手段に対応する。
【０１５４】
また、上記第２の実施形態において、データ加工部６ｆは、発明４〜９、１９〜２４のいずれか１の表示データ加工手段に対応する。
また、上記第２の実施形態において、データ選択部６ｄにおける、前景画像及び背景画像の設定処理は、発明５又は２０の画像設定手段に対応する。
また、上記第２の実施形態において、データ解析部６ｅにおける、画像の重なり状態を判定する処理は、発明８、９、２３及び２４のいずれか１の重なり状態判定手段に対応する。
【０１５５】
なお、上記実施の形態においては、２台のプロジェクタによってそれぞれ投射される２つの画像を被表示部（スクリーン４）上に重ねて表示する構成としたが、これに限らず、１台のプロジェクタが、それぞれを独立に制御可能な画像投射部（データ表示部）を２つ備える構成としても良いし、また、プロジェクタ２台構成に限らず、複数台（３台以上）のプロジェクタにより、それぞれの投射する複数（３以上）の画像を被表示部上に重ねて表示する構成としても良い。ここで、複数（３以上）の画像を重ねて表示する場合は、それぞれの画像の重なり順を設定すると共に、この重なり順による重なり状態の判定を行って、それぞれの画像が他の画像の表示を不明瞭にしないようにデータの加工を行うことが望ましい。
【０１５６】
また、上記実施の形態においては、通信ケーブル１００によってプロジェクタ及び表示処理装置を互いに通信可能に接続する構成としたが、これに限らず、既存の無線通信手段によって互いに通信可能に接続する構成としても良い。この場合、機器間を通信ケーブル１００で接続する労力を軽減することが可能となる。
また、上記実施の形態においては、カード型の記憶媒体を介して表示データを取得する構成としたが、これに限らず、表示データをあらかじめデータ記憶部に記憶しておいても良いし、データ通信部を介して、ネットワーク接続された外部機器から表示データを取得する構成としても良い。
【図面の簡単な説明】
【０１５７】
【図１】本発明の第１の実施形態に係る画像表示システム１の構成を示す概観図である。
【図２】第１のプロジェクタ２の詳細構成を示すブロック図である。
【図３】第１のプロジェクタ２におけるデータ表示部２ｉの光学構成を示す図である。
【図４】第２のプロジェクタ３の構成を示すブロック図である。
【図５】表示データを加工して２つの投射画像を重ねて表示する第１の例を示す図である。
【図６】表示データを加工して２つの投射画像を重ねて表示する第２の例を示す図である。
【図７】表示データ処理装置６の動作処理を示すフローチャートである。
【図８】第１のプロジェクタ２におけるデータ解析部２ｆの動作処理を示すフローチャートである。
【図９】第１のプロジェクタ２におけるデータ加工部２ｇの動作処理を示すフローチャートである。
【図１０】第２のプロジェクタ３の動作処理を示すフローチャートである。
【図１１】本発明の第２の実施形態に係る画像表示システム５の構成を示す概観図である。
【図１２】表示データ処理装置６の詳細構成を示すブロック図である。
【図１３】表示データを加工して２つの投射画像を重ねて表示する第３の例を示す図である。
【図１４】表示データを加工して２つの投射画像を重ねて表示する第３の例を示す図である。
【図１５】表示データ処理装置６の動作処理を示すフローチャートである。
【符号の説明】
【０１５８】
１，５…画像表示システム、２…第１のプロジェクタ、２ａ…第１表示データ取得部、２ｂ…第２表示データ取得部、２ｃ…データ制御部、２ｄ…データ記憶部、２ｅ…データ選択部、２ｆ…データ解析部、２ｇ…データ加工部、２ｈ…データ通信部、２ｉ…データ表示部、２ｊ…表示位置取得部、２ｋ…投射位置一致部、３…第２のプロジェクタ、３ａ…データ通信部、３ｂ…データ制御部、３ｃ…データ記憶部、３ｄ…データ表示部、４…スクリーン、６…表示データ処理装置、６ａ…表示データ取得部、６ｂ…データ制御部、６ｃ…データ記憶部、６ｄ…データ選択部、６ｅ…データ解析部、６ｆ…データ加工部、６ｇ…データ通信部、１００…通信ケーブル、２００…ハブ、３００…光学構成
【図１】
2006071681.tif 000003
【図２】
2006071681.tif 000004
【図３】
2006071681.tif 000005
【図４】
2006071681.tif 000006
【図５】
2006071681.tif 000007
【図６】
2006071681.tif 000008
【図７】
2006071681.tif 000009
【図８】
2006071681.tif 000010
【図９】
2006071681.tif 000011
【図１０】
2006071681.tif 000012
【図１１】
2006071681.tif 000013
【図１２】
2006071681.tif 000014
【図１３】
2006071681.tif 000015
【図１４】
2006071681.tif 000016
【図１５】
2006071681.tif 000017